(57)【要約】  本開示は、無線通信システムにおける電子装置及び無線通信方法に関する。本開示による無線通信システムにおける電子装置は、無認可スペクトルの１つ又は複数のビーム方向においてチャネル検出手順を実行するように配置される処理回路と、チャネルがアイドルとして検出される１つ又は複数のビーム方向においてランダムアクセスプリアンブルシーケンスを送信するように配置される送受信回路とを含む。本開示による電子装置及び無線通信方法によれば、無認可バンドでのランダムアクセス手順を実現して、チャネル検出の效率を向上させ、チャネル検出手順による遅延を低下することができる。
2020526078.tif 000002
【特許請求の範囲】
【請求項１】
無線通信システムにおける電子装置であって、
無認可スペクトルの１つ又は複数のビーム方向においてチャネル検出手順を実行するように配置されている処理回路と、
チャネルがアイドルとして検出される１つ又は複数のビーム方向においてランダムアクセスプリアンブルシーケンスを送信するように配置されている送受信回路と、
を含む電子装置。
【請求項２】
前記送受信回路は、さらに、ビーム方向情報を受信するように配置され、
前記処理回路は、さらに、前記ビーム方向情報に含まれる１つ又は複数のビーム方向において、チャネル検出手順を順次に実行するように配置される、
請求項１に記載の電子装置。
【請求項３】
前記無認可スペクトルの各ビーム方向は、複数のサブビーム方向を含み、
前記送受信回路は、チャネルがアイドルとして検出される各ビーム方向に含まれる複数のサブビーム方向においてランダムアクセスプリアンブルシーケンスを送信するように配置される、
請求項１に記載の電子装置。
【請求項４】
前記送受信回路は、さらに、異なるビーム方向に対して、異なるランダムアクセスプリアンブルシーケンスを送信するように配置される、
請求項１に記載の電子装置。
【請求項５】
前記送受信回路は、さらに、チャネルがアイドルとして検出される各ビーム方向において前記ビーム方向に対するランダムアクセスプリアンブルシーケンスを１回又は複数回送信するように配置される、
請求項１に記載の電子装置。
【請求項６】
前記処理回路は、さらに、最も長いチャネル占有時間ＭＣＯＴに従って、チャネルがアイドルとして検出される各ビーム方向において送信される前記ビーム方向に対するランダムアクセスプリアンブシーケンスの回数を確定するように配置される、
請求項５に記載の電子装置。
【請求項７】
前記処理回路は、さらに、現在のビーム方向においてチャネル検出手順の実行を開始するときにタイマーを起動し、前記タイマーが切れる前に現在のビーム方向がアイドルとして検出されない場合に、次のビーム方向においてチャネル検出手順の実行を開始するように配置される、
請求項１に記載の電子装置。
【請求項８】
前記処理回路は、さらに、前記送受信回路がランダムアクセス応答メッセージを受信するように、ランダムアクセス応答ウィンドウを起動するように配置される、
請求項１に記載の電子装置。
【請求項９】
前記処理回路は、前記送受信回路がチャネルがアイドルとして検出される全てのビーム方向においてランダムアクセスプリアンブルシーケンスを送信した後に、前記ランダムアクセス応答ウィンドウを起動するように配置される、
請求項８に記載の電子装置。
【請求項１０】
前記処理回路は、前記送受信回路がチャネルがアイドルとして検出される１番目のビーム方向において第１回のランダムアクセスプリアンブルシーケンスを送信した後、前記ランダムアクセス応答ウィンドウを起動するように配置される
請求項８に記載の電子装置。
【請求項１１】
前記処理回路は、前記送受信回路がチャネルがアイドルとして検出される各ビーム方向において第１回のランダムアクセスプリアンブルシーケンスを送信した後、前記ビーム方向に対するランダムアクセス応答ウィンドウを起動するように配置される、
請求項８に記載の電子装置。
【請求項１２】
前記処理回路は、さらに、受信したランダムアクセス応答メッセージに従って、アップリンクデータを送信するための無認可スペクトルのビーム方向を確定するように配置される、
請求項８に記載の電子装置。
【請求項１３】
前記処理回路は、さらに、
ランダムアクセス応答メッセージを受信していない場合に、チャネルが忙しいとして検出される１つ又は複数のビーム方向においてチャネル検出手順を再実行するように配置される
請求項８に記載の電子装置。
【請求項１４】
前記処理回路は、さらに、
各ビーム方向がアイドルとして検出されるまで、チャネルが忙しいとして検出される各ビーム方向に対して設置されるタイマーの時間を延長し、各ビーム方向においてランダムアクセスプリアンブルシーケンスを送信するように配置される、
請求項１３に記載の電子装置。
【請求項１５】
前記処理回路は、各ビーム方向においてランダムアクセスプリアンブルシーケンスを送信する送信電力を増加させるように配置される、
請求項１４に記載の電子装置。
【請求項１６】
前記処理回路は、さらに、受信したランダムアクセス応答メッセージに従って、アップリンク伝送メッセージを送信するための無認可スペクトルのビーム方向を確定するように配置され、
前記送受信回路は、さらに、前記アップリンク伝送メッセージを送信するように配置される、
請求項８に記載の電子装置。
【請求項１７】
前記アップリンク伝送メッセージは、無線リソース制御ＲＲＣ接続要求メッセージを含み、前記ＲＲＣ接続要求メッセージは、前記電子装置の識別情報を含む、
請求項１６に記載の電子装置。
【請求項１８】
前記ＲＲＣ接続要求メッセージは、さらに、アップリンクデータを含む、
請求項１７に記載の電子装置。
【請求項１９】
前記送受信回路は、さらに、
前記アップリンク伝送メッセージの伝送応答メッセージを受信するように配置される、
請求項１６に記載の電子装置。
【請求項２０】
前記伝送応答メッセージは、無線リソース制御ＲＲＣ接続応答メッセージを含み、前記ＲＲＣ接続応答メッセージは前記電子装置の識別情報を含む、
請求項１９に記載の電子装置。
【請求項２１】
前記無線通信システムは、新しい無線ＮＲ通信システムであり、前記電子装置は、端末装置である、
請求項１から２０のいずれか１項に記載の電子装置。
【請求項２２】
無線通信システムにおける電子装置であって、
前記電子装置のカバレッジ内の端末装置の１つ又は複数の好ましい送信ビーム方向を確定するように配置される処理回路と、
前記１つ又は複数の好ましい送信ビーム方向が含まれるビーム方向情報を前記端末装置に送信するように配置される送受信回路と、
を含む電子装置。
【請求項２３】
前記送受信回路は、さらに、
前記送受信回路によって受信されたランダムアクセスプリアンブルシーケンスが含まれるランダムアクセス応答メッセージを前記端末装置に送信するように配置される、
請求項２２に記載の電子装置。
【請求項２４】
前記無線通信システムは、新しい無線ＮＲ通信システムであり、前記電子装置は、ネットワーク側装置である、
請求項２２又は２３に記載の電子装置。
【請求項２５】
無線通信システムにおける電子装置であって、
無認可スペクトルの１つ又は複数のビーム方向においてチャネル検出手順を実行するように配置される処理回路と、
チャネルがアイドルとして検出される１つ又は複数のビーム方向において、ランダムアクセス応答メッセージを送信するように配置される送受信回路と、
を含み、
前記ランダムアクセス応答メッセージには、前記送受信回路によって受信されたランダムアクセスプリアンブルシーケンスが含まれる電子装置。
【請求項２６】
前記送受信回路はさらに、
前記電子装置のカバレッジ内の端末装置からアップリンク伝送メッセージを受信するように配置される、
請求項２５に記載の電子装置。
【請求項２７】
前記アップリンク伝送メッセージは、無線リソース制御ＲＲＣ接続要求メッセージを含み、前記ＲＲＣ接続要求メッセージは、前記端末装置の識別情報を含む、
請求項２６に記載の電子装置。
【請求項２８】
前記ＲＲＣ接続要求メッセージはさらに、アップリンクデータを含む、
請求項２７に記載の電子装置。
【請求項２９】
前記送受信回路はさらに、
前記電子装置へのアクセスが許可される端末装置に、前記アップリンク伝送メッセージの伝送応答メッセージを送信するように配置される、
請求項２６に記載の電子装置。
【請求項３０】
前記伝送応答メッセージは、無線リソース制御ＲＲＣ接続応答メッセージを含み、前記ＲＲＣ接続応答メッセージは、前記電子装置へのアクセスが許可される端末装置の識別情報を含む、
請求項２９に記載の電子装置。
【請求項３１】
前記処理回路はさらに、
前記電子装置のカバレッジ内の端末装置が前記アップリンク伝送メッセージを送信し、前記電子装置が前記アップリンク伝送メッセージの伝送応答メッセージを前記電子装置へのアクセスが許可される端末装置に送信するために、前記ランダムアクセス応答メッセージを送信するときに使用される無認可スペクトルを予備するように配置される、
請求項２９に記載の電子装置。
【請求項３２】
前記無線通信システムは、新しい無線ＮＲ通信システムであり、前記電子装置は、ネットワーク側装置である、
請求項２５から３１のいずれか１項に記載の電子装置。
【請求項３３】
無線通信システムにおける電子装置によって実行される無線通信方法であって、
無認可スペクトルの１つ又は複数のビーム方向においてチャネル検出手順を実行することと、
チャネルがアイドルとして検出される１つ又は複数のビーム方向においてランダムアクセスプリアンブルシーケンスを送信することと、
を含む無線通信方法。
【請求項３４】
無線通信システムにおける電子装置によって実行される無線通信方法であって、
無認可スペクトルの１つ又は複数のビーム方向においてチャネル検出手順を実行することと、
チャネルがアイドルとして検出される１つ又は複数のビーム方向において、前記電子装置によって受信されたランダムアクセスプリアンブルシーケンスが含まれるランダムアクセス応答メッセージを送信することと、
を含む通信方法。
【発明の詳細な説明】
【技術分野】
【０００１】
本出願は、２０１７年６月２９日に中国特許庁に提出された、出願番号が２０１７１０５１４７０６.３であって、発明の名称が「無線通信システムにおける電子装置及び無線通信方法」である中国特許出願に基づく優先権を主張するものであり、その全内容を本出願に参照により援用する。
【０００２】
本開示の実施例は、全体的に、無線通信分野に関し、具体的に、無線通信システムにおける電子装置及び無線通信方法に関する。より具体的に、本開示は、無線通信システムにおけるネットワーク側装置として機能する電子装置、無線通信システムにおける端末装置として機能する電子装置、無線通信システムにおけるネットワーク側装置によって実行される無線通信方法、及び無線通信システムにおける端末装置によって実行される無線通信方法に関する。
【背景技術】
【０００３】
無線ネットワークの発展進化に伴い、それが担うサービスはますます多くなり、大量のデータの伝送をサポートするためには、追加のスペクトロリソースが必要である。セルラー無線ネットワークオペレータは、従来のＬＴＥ(Ｌｏｎｇ  Ｔｅｒｍ  Ｅｖｏｌｕｔｉｏｎ、長期的な進化)ネットワークを使用することを基に、無認可バンドの使用方法を検討し始めている。無認可バンドを使用する通信は、例えば、ＬＢＴ(Ｌｉｓｔｅｎ  ｂｅｆｏｒｅ  ｔａｌｋ)などのチャネル検出手順によって実現することができる。ＬＢＴは、チャネルを使用する前にアイドルチャネル評価(Ｃｌｅａｒ  Ｃｈａｎｎｅｌ  Ａｓｓｅｓｓｍｅｎｔ、ＣＣＡ)の方式によってチャネルがアイドルであるかどうかをチェックし、チャネルがアイドルであるときに当該チャネルにアクセスでき、チャネルが占有されているときに当該チャネルにアクセスできない。
【発明の概要】
【発明が解決しようとする課題】
【０００４】
プライマリセルの基地局のカバレッジにセカンダリセルが存在するときに、端末装置とプライマリセルの基地局との間は、認可バンドを使用して通信することができ、セカンダリセルの基地局との間は無認可バンドを使用して通信することができる。上記のシナリオでは、端末装置はセカンダリセルの基地局とランダムアクセス手順を実行する必要がある可能性がある。また、端末装置が端末装置にサービスを提供する基地局と無認可バンドを使用して通信するときに、端末装置は、当該基地局とランダムアクセス手順を実行する必要がある可能性がある。しかしながら、３ＧＰＰ(３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト)の現在の議論では、無認可バンドでのランダムアクセス手順について、実行可能な解決策は提案されていない。
【０００５】
そこで、無認可バンドでのランダムアクセス手順を実現するために、技術的解決策を提案する必要がある。
【課題を解決するための手段】
【０００６】
この部分は本開示の一般的な概要を提供し、その全範囲又はその全ての特徴の完全な開示ではない。
【０００７】
本開示の目的は、無認可バンドでのランダムアクセス手順を実現するために、電子装置及び無線通信方法を提供することである。
【０００８】
本開示の一態様によれば、無線通信システムにおける電子装置を提供し、無認可スペクトルの１つ又は複数のビーム方向においてチャネル検出手順を実行するように配置される処理回路と、チャネルがアイドルとして検出される１つ又は複数のビーム方向においてランダムアクセスプリアンブルシーケンスを送信するように配置される送受信回路とを含む。
【０００９】
本開示の他の態様によれば、無線通信システムにおける電子装置を提供し、前記電子装置のカバレッジ内の端末装置の１つ又は複数の好ましい送信ビーム方向を確定するように配置される処理回路と、前記１つ又は複数の好ましい送信ビーム方向が含まれるビーム方向情報を前記端末装置に送信するように配置される送受信回路とを含む。
【００１０】
本開示の他の態様によれば、無線通信システムにおける電子装置を提供し、無認可スペクトルの１つ又は複数のビーム方向においてチャネル検出手順を実行するように配置される処理回路と、チャネルがアイドルとして検出される１つ又は複数のビーム方向においてランダムアクセス応答メッセージを送信するように配置される送受信回路と、を含み、前記ランダムアクセス応答メッセージには、前記送受信回路によって受信されたランダムアクセスプリアンブルシーケンスが含まれる。
【００１１】
本開示の他の態様によれば、無線通信システムにおける電子装置によって実行される無線通信方法を提供し、無認可スペクトルの１つ又は複数のビーム方向においてチャネル検出手順を実行することと、チャネルがアイドルとして検出される１つ又は複数のビーム方向においてランダムアクセスプリアンブルシーケンスを送信することと、を含む。
【００１２】
本開示の他の態様によれば、無線通信システムにおける電子装置によって実行される無線通信方法を提供し、前記電子装置のカバレッジ内の端末装置の１つ又は複数の好ましい送信ビーム方向を確定することと、前記１つ又は複数の好ましい送信ビーム方向が含まれるビーム方向情報を前記端末装置に送信することとを含む。
【００１３】
本開示の他の態様によれば、無線通信システムにおける電子装置によって実行される無線通信方法を提供し、無認可スペクトルの１つ又は複数のビーム方向においてチャネル検出手順を実行することと、チャネルがアイドルとして検出される１つ又は複数のビーム方向において、前記電子装置によって受信されたランダムアクセスプリアンブルシーケンスが含まれるランダムアクセス応答メッセージを送信することと、を含む。
【００１４】
本開示による無線通信システムにおける電子装置及び無線通信方法によれば、電子装置は、ビーム方向に基づいてチャネル検出手順を実行することができ、それによって、チャネルがアイドルとして検出されるビーム方向においてランダムアクセスプリアンブルシーケンスを送信する。このようにして、チャネル検出の效率を向上させ、チャネル検出手順による遅延を低下することができる。さらに、無認可バンドでのランダムアクセス手順が実現される。
【００１５】
さらなる適用分野は本明細書に提供される説明から明らかになる。この概要における説明及び具体例は、例示の目的のためであり、本開示の範囲を限定することを意図するものではない。
【図面の簡単な説明】
【００１６】
本明細書に開示された図面は、全ての可能な実施形態ではなくて、選択実施例の例示のためであり、本開示の範囲を限定することを意図するものではない。
【００１７】
【図１】本開示の適用シナリオを示す模示図である。
【図２】本開示の実施例による電子装置の構成例を示すブロック図である。
【図３】本開示の実施例によるチャネル検出手順を実行するビーム方向を示す模示図である。
【図４】本開示の他の実施例によるチャネル検出手順を実行するビーム方向を示す模示図である。
【図５】本開示のさらに他の実施例によるチャネル検出手順を実行するビーム方向を示す模示図である。
【図６】本開示の実施例によるランダムアクセスプリアンブルシーケンスを送信する手順を示す模示図である。
【図７】本開示の実施例によるランダムアクセス応答ウィンドウを起動する模示図である。
【図８】本開示の他の実施例によるランダムアクセス応答ウィンドウを起動する模示図である。
【図９】本開示のさらに他の実施例によるランダムアクセス応答ウィンドウを起動する模示図である。
【図１０】本開示の他の実施例による電子装置の構成例を示すブロック図である。
【図１１】本開示の実施例によるランダムアクセス手順のシグナリングフローチャートである。
【図１２】本開示のさらに他の実施例による電子装置の構成例を示すブロック図である。
【図１３】本開示の他の実施例によるランダムアクセス手順のシグナリングフローチャートである。
【図１４】本開示のさらに他の実施例によるランダムアクセス手順のシグナリングフローチャートである。
【図１５】本開示の実施例による電子装置によって実行される無線通信方法を示すフローチャートである。
【図１６】本開示の他の実施例による電子装置によって実行される無線通信方法を示すフローチャートである。
【図１７】本開示のさらに他の実施例による電子装置によって実行される無線通信方法を示すフローチャートである。
【図１８】ｅＮＢ(Ｅｖｏｌｖｅｄ  Ｎｏｄｅ  Ｂ、進化型ノードＢ)の概略構成の第１の例を示すブロック図である。
【図１９】ｅＮＢの概略構成の第２の例を示すブロック図である。
【図２０】スマートフォンの概略構成の一例を示すブロック図である。
【図２１】カーナビゲーションの概略構成の一例を示すブロック図である。
【００１８】
本開示に対して、様々な修正及び代替を容易にできるが、その特定の実施例は例として添付の図面に示されて、そして、ここで詳細に説明する。本明細書における特定の実施例に対する説明は本開示を開示された具体的な形態に限定することを意図するものではなく、逆に、本開示は本開示の精神及び範囲内に入る全ての修正、均等、及び置換を包含することを意図することは理解されたい。なお、いくつかの図面を通して、対応する符号は対応する部品を示す。
【発明を実施するための形態】
【００１９】
本開示の例について、添付の図面を参照してより十分に説明する。以下の説明は、本質的に単なる例示であり、本開示、適用又は使用を限定するものではない。
【００２０】
本開示が詳しくなり、その範囲を当業者に十分に伝えるように、例示的な実施例を提供する。特定の部品、デバイス、及び方法の例などの様々な特定の詳細を説明して、本開示の実施例に対する十分な理解を提供する。特定の詳細は必ずしも必要ではなく、例示的な実施例は多くの異なる形態で実施でき、それらが本開示の範囲を限定するものと解釈されるべきではないことは、当業者には明らかである。いくつかの例示的な実施例では、周知のプロセス、周知の構造、及び周知の技術は詳細に記載されていない。
【００２１】
以下の順序に従って説明する。
１.適用シナリオ
２.第１の実施例
３.第２の実施例
４.第３の実施例
５.第４の実施例
６.第５の実施例
７.第６の実施例
８.適用例。
【００２２】
＜１.適用シナリオ＞
図１(ａ)は、本開示の適用シナリオを示す模示図である。図１(ａ)に示すように、プライマリセルのカバレッジ内に１つ又は複数のセカンダリセルが存在し、セカンダリセルのカバレッジ内にＵＥ(Ｕｓｅｒ  Ｅｑｕｉｐｍｅｎｔ、ユーザー装置)が存在する。プライマリセルの基地局とセカンダリセルの基地局は、いずれもＵＥにサービスを提供することができる。このようなシナリオでは、ＵＥは、認可バンドを使用してプライマリセル基地局と通信することができ、無認可バンドを使用してセカンダリセル基地局と通信することができる。このようなシナリオでは、ＵＥは、セカンダリセルの基地局にランダムアクセスする必要がある可能性がある。
【００２３】
図１(ｂ)は、本開示の他の適用シナリオを示す模示図である。図１(ｂ)に示すように、基地局のカバレッジ内にＵＥが存在し、基地局はＵＥにサービスを提供することができる。このようなシナリオでは、ＵＥと基地局との間は無認可バンドを使用して通信することができ、ＵＥは、当該基地局にランダムアクセスする必要がある可能性がある。
【００２４】
また、ＮＲ(Ｎｅｗ  Ｒａｄｉｏ、新しい無線)通信システムのバンドは、高周波点バンド(例えば、６０ＧＨＺ)である。そこで、ＮＲ通信システムでは、送受信端における高密度のマルチアンテナアレイからなるビームフォーミングは、特定の伝送方向における信頼性の高い通信を実現することができる。図１(ａ)に示す適用シナリオでは、ＵＥはＮＲ通信システムの認可バンドを使用してプライマリセルと通信することができ、ＮＲ通信システムの無認可バンドを使用してセカンダリセル基地局と通信することができ、即ち、ＵＥ、プライマリセル基地局、及びセカンダリセル基地局はＮＲ通信システムにおいて作動することができる。図１(ｂ)に示す適用シナリオでは、ＵＥはＮＲ通信システムの無認可バンドを使用して基地局と通信することができ、即ち、ＵＥと基地局は、ＮＲ通信システムにおいて作動することができる。
【００２５】
図１(ａ)と図１(ｂ)は、本開示の例示的なシナリオを示し、本開示の適用シナリオはこれらに限定されない。本開示の技術的解決策は、無認可バンドを使用してランダムアクセス手順を実行する必要がある全ての通信システムに適用可能である。
【００２６】
また、本開示で説明される基地局は、例えばｅＮＢであってもよいし、ｇＮＢ(第５世代通信システムにおける基地局)であってもよく、本開示はこれを限定しない。
【００２７】
＜２.第１の実施例＞
この実施例では、本開示の実施例による端末装置について詳細に説明する。図２は、本開示の実施例による電子装置２００の構成例を示すブロック図である。ここでの電子装置２００は、無線通信ネットワークにおける端末装置として機能することができ、例えば、図１(ａ)及び(ｂ)に示すＵＥである。さらに、電子装置２００が位置する通信システムはＮＲ通信システムであってもよい。
【００２８】
図２に示すように、電子装置２００は、処理回路２１０と送受信回路２２０を含むことができる。なお、電子装置２００は１つの処理回路２１０を含んでもよいし、複数の処理回路２１０を含んでもよい。
【００２９】
さらに、処理回路２１０は、異なる機能及び／又は動作を実行するように、様々な個別の機能ユニットを含むことができる。なお、これらの機能ユニットは、物理エンティティ又は論理エンティティであってもよく、異なる呼称のユニットは、同一の物理エンティティによって実現される可能性がある。
【００３０】
本開示の実施例によれば、処理回路２１０は、無認可スペクトルの１つ又は複数のビーム方向において、チャネル検出手順を実行することができる。
【００３１】
ここで、処理回路２１０は、本分野で知られている任意の方法を使用してチャネル検出手順を実行することができる。例えば、処理回路２１０は、アイドルチャネル評価の方式によってチャネルがアイドルであるかどうかをチェックするために、ＬＢＴ手順を実行することができる。本開示の実施例によれば、処理回路２１０は、１つ又は複数のビーム方向の各ビーム方向においてこのようなチャネル検出手順を実行することができる。つまり、処理回路２１０は、特定のビーム方向に対してチャネル検出手順を実行することができ、即ち、処理回路２１０は、特定のビーム方向を監視して、当該特定のビーム方向がアイドルであるかどうかを確定することができる。特定のビーム方向がアイドルであるときに、当該特定のビーム方向においてデータを送信する装置がない、又は、当該特定のビーム方向においてデータを送信する装置によって引き起こされる干渉が所定の範囲内にあることを示し、このようにして、電子装置２００はこのような特定方向を使用することができる。さらに、処理回路２１０は、チャネルがアイドルとして検出されるビーム方向において送信する必要があるランダムアクセスプリアンブルシーケンスを確定することができる。
【００３２】
本開示の実施例によれば、送受信回路２２０は、チャネルがアイドルとして検出される１つ又は複数のビーム方向においてランダムアクセスプリアンブルシーケンスを送信することができる。
【００３３】
ここで、送受信回路２２０は、処理回路２１０からチャネルがアイドルとして検出される１つ又は複数のビーム方向を取得し、送信する必要があるランダムアクセスプリアンブルシーケンスを取得することができ、それによって、チャネルがアイドルとして検出される１つ又は複数のビーム方向においてランダムアクセスプリアンブルシーケンスを送信することができる。
【００３４】
これにより、本開示の実施例によれば、電子装置は、ビーム方向に基づいてチャネル検出手順を実行することができ、それによって、チャネルがアイドルとして検出されるビーム方向においてランダムアクセスプリアンブルシーケンスを送信する。このようにして、チャネル検出の效率を向上させ、チャネル検出手順による遅延を低下することができる。さらに、無認可バンドでのランダムアクセス手順が実現される。
【００３５】
本開示の実施例によれば、処理回路２１０は、前記１つ又は複数のビーム方向においてチャネル検出手順を順次に実行することができる。ここで、処理回路２１０は、一定の準則に従って、チャネル検出手順が実行されるビーム方向の順序を確定することができる。
【００３６】
本開示の実施例によれば、処理回路２１０は、電子装置２００によって形成される全てのビーム方向のそれぞれにおいてチャネル検出手順を実行することができる。つまり、チャネル検出手順を実行する１つ又は複数のビーム方向とは、電子装置２００によって形成される全てのビーム方向を意味する。ここで、各ビーム方向に沿って、ランダムアクセスプリアンブルシーケンス又は他の情報を送信することができる１つのビームが存在する。
【００３７】
図３は、本開示の実施例によるチャネル検出手順を実行するビーム方向を示す模示図である。図３に示すように、電子装置２００の周りに、番号が１-１２である１２個のビーム方向が存在する。処理回路２１０は、これらの１２個のビーム方向のそれぞれにおいてチャネル検出手順を実行し、チャネルがアイドルとして検出されるビーム方向を確定することができる。図３に示す１２個のビーム方向のそれぞれに、ランダムアクセスプリアンブルシーケンス又は他の情報を送信することができる１つのビームが存在する。例えば、処理回路２１０によって番号が１、２及び４であるビーム方向がアイドルであると確定される場合、送受信回路２２０は、番号が１、２及び４であるビーム方向においてランダムアクセスプリアンブルシーケンスを送信することができる。なお、図３には、電子装置２００の周りに１２個のビーム方向が存在する例を示したが、本開示はこれに限定されない。電子装置２００の周りに１２個より多い又は１２個より少ないビーム方向が存在してもよい。
【００３８】
本開示の実施例によれば、送受信回路２２０はさらに、ビーム方向情報を受信してもよく、処理回路２１０はさらに、受信したビーム方向情報に含まれる１つ又は複数のビーム方向においてチャネル検出手順を順次に実行してもよい。
【００３９】
本開示の実施例によれば、例えば、図１(ａ)に示すシナリオでは、送受信回路２２０は、例えばプライマリセル基地局などの他の装置から、ビーム方向情報を受信することができる。ここで、ビーム方向情報に含まれる１つ又は複数のビーム方向は、電子装置２００の好ましい送信ビームであってもよい。ここで、電子装置２００がプライマリセル基地局のカバレッジ内に位置するので、プライマリセル基地局は、電子装置２００の全ての関連情報を知ることができ、電子装置２００の最適な送信ビーム情報を推測することができる。ここで、送受信回路２２０は、認可スペクトルによってプライマリセル基地局からビーム方向情報を受信することができる。また、例えば、図１(ｂ)に示すシナリオでは、送受信回路２２０は、基地局からビーム方向情報を受信してもよく、ビーム方向情報は同様に、電子装置２００の好ましい送信ビームを含んでもよい。
【００４０】
本開示の実施例によれば、送受信回路２２０によって受信されたビーム方向情報は、１つ又は複数のビーム方向を含むことができる。さらに、送受信回路２２０によって受信されたビーム方向情報は、これらの１つ又は複数のビーム方向の好ましい順序を含んでもよい。
【００４１】
本開示の実施例によれば、電子装置２００がこのようなビーム方向情報を受信した後、処理回路２１０は、受信されたビーム方向情報に含まれる１つ又は複数のビーム方向においてチャネル検出手順を実行することができる。つまり、チャネル検出手順を実行する１つ又は複数のビーム方向とは、電子装置２００によって受信されたビーム方向情報に含まれるビーム方向を意味する。さらに、電子装置２００によって受信されたビーム方向情報に好ましい順序が含まれる場合、処理回路２１０は、ビーム方向情報に含まれる好ましい順序に従って、これらの１つ又は複数のビーム方向においてチャネル検出手順を順次に実行してもよい。
【００４２】
図４は、本開示の他の実施例によるチャネル検出手順を実行するビーム方向を示す模示図である。図４に示すように、送受信回路２２０によって受信されたビーム方向情報には番号が１、２、４及び１２であるビーム方向が含まれると仮定すると、処理回路２１０は、これらの４つのビーム方向のみにおいてチャネル検出手順を実行することができる。さらに、送受信回路２２０によって受信されたビーム方向情報に含まれる好ましい順序がビーム方向２、ビーム方向１、ビーム方向４及びビーム方向１２であると仮定すると、処理回路２２０は、番号が２、１、４及び１２であるビーム方向においてチャネル検出手順を順次に実行することができる。
【００４３】
本開示の上記実施例によれば、電子装置２００は、受信されたビーム方向情報に含まれるビーム方向のみにおいてチャネル検出手順を実行することができ、それによって、チャネル検出手順を実行する必要がある範囲が縮小され、チャネル検出の時間が節約される。
【００４４】
本開示の実施例によれば、チャネル検出手順を実行する１つ又は複数のビーム方向のそれぞれは複数のサブビーム方向を含んでもよく、各サブビーム方向に沿って、ランダムアクセスプリアンブルシーケンス又は他の情報を送信することができる１つのビームが存在する。つまり、処理回路２１０は、複数のサブビームを１つのビームに組み合わせることができる。ここで、各ビームに含まれるサブビームの数は同じであってもよいし異なってもよい。本開示の実施例によれば、処理回路２１０は各ビームにおいてチャネル検出手順を実行することができる。ビームのチャネル検出結果がアイドルであれば、当該ビームに含まれる全てのサブビームがアイドルであることを意味し、電子装置２００は当該ビームにおける全てのサブビームを利用してランダムアクセスプリアンブルシーケンスを送信することができる。
【００４５】
本開示の実施例によれば、送受信回路２２０は、チャネルがアイドルとして検出される各ビーム方向に含まれる複数のサブビーム方向においてランダムアクセスプリアンブルシーケンスを送信することができる。つまり、上記実施例では、チャネル検出手順を実行する１つ又は複数のビーム方向とは、電子装置２００の周りの全てのビーム方向を意味する。各ビーム方向は複数のサブビーム方向を含み、各サブビーム方向に沿って、情報を送信することができる１つのビームが存在する。
【００４６】
図５は、本開示の他の実施例によるチャネル検出手順を実行するビーム方向を示す模示図である。図５に示すように、電子装置２００の周りに、番号が１-６であるビーム方向が存在し、各ビーム方向は２つのサブビーム方向を含む。処理回路は、番号が１-６であるビーム方向においてチャネル検出手順を実行することができる。同様に、処理回路２１０は、一定の準則に従って、チャネル検出手順を実行するビーム方向の順序を確定することができる。処理回路２１０によってチャネルがアイドルとして検出されるビーム方向が、番号が２及び３であるビーム方向と確定されると仮定すると、送受信回路２２０は、サブビーム方向３、４、５及び６においてランダムアクセスプリアンブルシーケンスを送信することができる。
【００４７】
本開示の上記実施例によれば、電子装置２００は、ビーム方向のみにおいてチャネル検出手順を実行することができ、ビーム方向の数がサブビーム方向の数よりも小さいので、チャネル検出手順を実行する必要がある回数が縮小され、チャネル検出の時間が節約される。
【００４８】
上記のように、電子装置２００は、上記実施例のうちのいずれかによってチャネル検出手順を実行することができ、一定の準則に従って、上記実施例を組み合わせることもできる。
【００４９】
本開示の実施例によれば、電子装置２００は、受信されたビーム方向情報に従って、チャネル検出手順を実行する必要があるビーム方向を確定するという第２の方式を優先的に選択することができる。アップリンクデータを送信するための適切なビームが確定されない場合、複数のサブビーム方向を１つのビーム方向にバインディングし、ビーム方向においてチャネル検出手順を実行するという第３の方式を選択することができる。アップリンクデータを送信するための適切なビームがまだ確定されない場合、電子装置２００の周りの全てのビームにおいてチャネル検出手順を順次に実行するという第１の方式を選択することができる。
【００５０】
電子装置２００によって実行されるチャネル検出手順についての詳細は上述した通りであり、ランダムアクセスプリアンブルシーケンスの送信手順についての詳細は後述する。
【００５１】
本開示の実施例によれば、送受信回路２２０は、異なるビーム方向に対して異なるランダムアクセスプリアンブルシーケンスを送信してもよい。処理回路２１０が上述のように第３の方式を使用してチャネル検出手順を実行するときに、送受信回路２２０は、異なるサブビーム方向に対して異なるランダムアクセスプリアンブルシーケンスを送信する。ここで、処理回路２１０が、ランダムアクセスプリアンブルシーケンスを送信する必要があるビーム方向又はサブビーム方向を確定した後、ビーム方向又はサブビーム方向にランダムアクセスプリアンブルシーケンスを割り当てることができ、それによって、異なるビーム方向又はサブビーム方向に異なるランダムアクセスプリアンブルシーケンスを送信し、即ち、ビーム方向又はサブビーム方向はランダムアクセスプリアンブルシーケンスと１対１の対応関係を有することができる。
【００５２】
本開示の実施例によれば、送受信回路２２０は、チャネルがアイドルとして検出される各ビーム方向において、前記ビーム方向に対するランダムアクセスプリアンブルシーケンスを１回又は複数回送信してもよい。処理回路２１０が上述のように第３の方式を使用してチャネル検出手順を実行するときに、送受信回路２２０は、チャネルがアイドルとして検出される各サブビーム方向において、当該サブビーム方向に対するランダムアクセスプリアンブルシーケンスを１回又は複数回送信する。ここで、処理回路２１０が、ランダムアクセスプリアンブルシーケンスを送信する必要があるビーム又はサブビームを確定するときに、ビーム方向又はサブビーム方向にランダムアクセスプリアンブルシーケンスを割り当てるとともに、各ビーム方向又はサブビーム方向においてランダムアクセスプリアンブルシーケンスを送信する回数を確定することができる。本開示の実施例によれば、各ビーム方向又はサブビーム方向においてランダムアクセスプリアンブルシーケンスを１回又は複数回送信することができる。
【００５３】
本開示の実施例によれば、処理回路２１０は、最も長いチャネル占有時間ＭＣＯＴに従って、チャネルがアイドルとして検出される各ビーム方向において前記ビーム方向に対するランダムアクセスプリアンブルシーケンスを送信する回数を確定してもよい。同様に、処理回路２１０が第３の方式を使用してチャネル検出手順を実行するときに、チャネルがアイドルとして検出される各サブビーム方向においてランダムアクセスプリアンブルシーケンスを送信する回数は処理回路２１０によって確定される。
【００５４】
ここで、処理回路２１０は、ＭＣＯＴの期間を各回のランダムアクセスプリアンブルシーケンスの送信期間で除算することによって、各ビーム方向又はサブビーム方向においてランダムアクセスプリアンブルシーケンスを送信する最大の回数を確定することができる。例えば、ＭＣＯＴが２ｍｓに設置され、各回のランダムアクセスプリアンブルシーケンスの送信期間が１ｍｓであるときに、処理回路２１０は、各ビーム方向又はサブビーム方向においてランダムアクセスプリアンブルシーケンスを多くとも２回送信すると確定することができ、それによって、必要に応じて各チャネルがアイドルとして検出されるビーム方向又はサブビーム方向においてランダムアクセスプリアンブルシーケンスを１回又は２回送信すると確定することができる。
【００５５】
本開示の実施例によれば、アイドルである各ビーム又はサブビーム方向においてランダムアクセスプリアンブルシーケンスを１回又は複数回送信することができ、それによって、ランダムアクセスプリアンブルシーケンスが正常に受信される確率を増加させることができる。
【００５６】
本開示の実施例によれば、処理回路２１０は、現在のビーム方向においてチャネル検出手順の実行を開始するときにタイマーを起動し、タイマーが切れる前に現在のビーム方向がアイドルとして検出されないときに次のビーム方向においてチャネル検出手順の実行を開始してもよい。
【００５７】
本開示のいくつかの実施例によれば、チャネル検出手順は、ビーム方向に対して順次に行うことであるので、各ビーム方向に対して１つのタイマーを設置する必要がある。ここで、異なるビーム方向に対するタイマーの期間は同じであってもよいし異なってもよい。あるビーム方向においてチャネル検出手順の実行を開始するときに、処理回路２１０は、当該ビーム方向に対するタイマーを起動することができ、タイマーが切れる前に当該ビーム方向に対してチャネル検出手順を１回又は複数回実行することができる。タイマーが切れる前に当該ビーム方向がアイドルであると検出されるときに、当該アイドルのビーム方向においてランダムアクセスプリアンブルシーケンスを送信し、ランダムアクセスプリアンブルシーケンスを送信した後、次のビーム方向においてチャネル検出手順の実行を開始する。タイマーが切れても当該ビーム方向がアイドルである検出されていないときに、処理回路２１０は、当該ビーム方向の次のビーム方向においてチャネル検出手順の実行を開始することができる。
【００５８】
図６は、本開示の実施例によるランダムアクセスプリアンブルシーケンスを送信する手順を示す模示図である。図６に示すように、電子装置２００は、１番目のビーム方向、２番目のビーム方向、及び３番目のビーム方向においてチャネル検出手順を順次に実行する。１番目のビーム方向において、電子装置２００はまず、１番目のビーム方向に対するタイマーを起動し、その後、ＬＢＴ手順を実行し、電子装置２００はタイマーが切れる前に１番目のビーム方向がアイドルであることを確定したと仮定すると、次に、一定の時間間隔だけ経過した後、１番目のビーム方向において１番目のビーム方向に対するランダムアクセスプリアンブルシーケンス(例えば、図６に示すプリアンブルシーケンス１)を送信する。１番目のビーム方向に対するランダムアクセスプリアンブルシーケンスの送信が完了した後、電子装置２００は、２番目のビーム方向に対するタイマーを起動し、その後、２番目のビーム方向においてＬＢＴ手順を実行する。図６に示すように、２番目のビーム方向においてＬＢＴ手順を３回実行した後、タイマーが切れても、２番目のビーム方向がアイドルであると検出されていない。次に、電子装置は、３番目のビーム方向に対するタイマーを起動し、その後、３番目のビーム方向においてＬＢＴ手順を実行する。タイマーが切れる前に電子装置２００が３番目のビーム方向がアイドルであることを確定すると仮定すると、次に、一定の時間間隔だけ経過した後、３番目のビーム方向において３番目のビーム方向に対するランダムアクセスプリアンブルシーケンス(例えば、図６に示すプリアンブルシーケンス２)を送信する。なお、図６に、各ビーム方向に対してランダムアクセスプリアンブルシーケンスを２回送信することを示し、当然ながら、各ビーム方向に対して、１回又は２回よりも大きいランダムアクセスプリアンブルシーケンスを送信してもよい。また、図６は、３つのビーム方向においてチャネル検出手順を実行する例を示し、実際的に、電子装置２００は、他の数のビーム方向においてチャネル検出手順を実行することができる。
【００５９】
本開示の実施例によれば、電子装置２００によって送信されるランダムアクセスプリアンブルシーケンスは、電子装置２００がランダムアクセスする基地局、例えば、図１(ａ)に示すセカンダリセル基地局、又は図１(ｂ)に示す基地局に送信できる。上記のように、電子装置２００は、ビーム方向に基づいてチャネル検出手順を実行することができ、それによって、チャネルがアイドルとして検出されるビーム方向においてランダムアクセスプリアンブルシーケンスを送信する。このようにして、チャネル検出の效率を向上させ、チャネル検出手順による遅延を低下することができる。さらに、無認可バンドでのランダムアクセス手順が実現される。
【００６０】
本開示の実施例によれば、処理回路２１０は、送受信回路２２０がランダムアクセス応答メッセージを受信するように、ランダムアクセス応答ウィンドウを起動してもよい。
【００６１】
本開示の実施例によれば、送受信回路２２０によって受信されるランダムアクセス応答メッセージは、それにサービスを提供する基地局、例えば、図１(ａ)に示すプライマリセルの基地局、又は図１(ｂ)に示す基地局からのものであってもよい。
【００６２】
本開示の実施例によれば、処理回路２１０は、送受信回路２２０によってチャネルがアイドルとして検出される全てのビーム方向においてランダムアクセスプリアンブルシーケンスが送信された後、ランダムアクセス応答ウィンドウを起動することができる。
【００６３】
本開示の実施例によれば、ランダムアクセス応答メッセージが全方向の方式に基づいて送信されるものであり、電子装置２００に１セットのトランシーバのみが含まれるときに、データの受信とデータの送信は同時に行うことができないので、処理回路２１０は必ず、全てのランダムアクセスプリアンブルシーケンスが送信された後に、ランダムアクセス応答ウィンドウを起動することができる。
【００６４】
図７は、本開示の実施例によるランダムアクセス応答ウィンドウを起動する模示図である。図７に示すように、電子装置２００が３つのビーム方向においてチャネル検出手順を実行し、１番目のビーム方向及び３番目のビーム方向においてランダムアクセスプリアンブルシーケンスを送信する必要があると仮定すると、電子装置２００は３番目のビーム方向においてランダムアクセスプリアンブルシーケンスを送信した後、ＲＡＲ(Ｒａｎｄｏｍ  Ａｃｃｅｓｓ  Ｒｅｓｐｏｎｓｅ、ランダムアクセス応答)ウィンドウを起動する。
【００６５】
本開示の実施例によれば、処理回路２１０は、送受信回路２２０によってチャネルがアイドルとして検出される１番目のビーム方向において第１回のランダムアクセスプリアンブルシーケンスが送信された後、ランダムアクセス応答ウィンドウを起動することができる。
【００６６】
本開示の実施例によれば、ランダムアクセス応答メッセージが全方向の方式に基づいて送信されるものであり、電子装置２００に複数のセットのトランシーバが含まれるときに、データの受信とデータの送信は同時に行うことができる。また、ランダムアクセス応答メッセージがビームに基づく指向性方式を使用して送信されるものであり、電子装置のトランシーバが指向性受信を実現することができるときに、データの受信とデータの送信は同時に行うことができる。そこで、この場合に、処理回路２１０は、ランダムアクセスプリアンブルシーケンスを送信した全てのビーム方向に対するランダムアクセス応答メッセージをそれぞれ受信するように、１回のランダムアクセスプリアンブルシーケンスを送信した後、ランダムアクセス応答ウィンドウを起動することができる。
【００６７】
図８は、本開示の他の実施例によるランダムアクセス応答ウィンドウを起動する模示図である。図８に示すように、電子装置２００が３つのビーム方向においてチャネル検出手順を実行し、１番目のビーム方向及び３番目のビーム方向においてランダムアクセスプリアンブルシーケンスを送信し、各ビーム方向においてランダムアクセスプリアンブルシーケンスを２回送信すると仮定すると、電子装置２００は、１番目のビーム方向においてランダムアクセスプリアンブルシーケンスを１回送信した後、ＲＡＲウィンドウを起動する。
【００６８】
本開示の実施例によれば、処理回路２１０は、送受信回路２２０によってチャネルがアイドルとして検出される各ビーム方向において第１回のランダムアクセスプリアンブルシーケンスが送信された後、前記ビーム方向に対するランダムアクセス応答ウィンドウを起動してもよい。
【００６９】
本開示の実施例によれば、ランダムアクセス応答メッセージが全方向の方式に基づいて送信されるものであり、電子装置２００に複数のセットのトランシーバが含まれるときに、データの受信及びデータの送信は同時に行うことができる。また、ランダムアクセス応答メッセージは、ビームに基づく指向性方式を使用して送信されるものであり、電子装置のトランシーバが指向性受信を実現することができるときも、データの受信及びデータの送信は同時に行うことができる。そのため、この場合に、処理回路２１０は、各ビーム方向又はサブビーム方向に対してランダムアクセスプリアンブルシーケンスを１回送信した後、当該ビーム方向に対するランダムアクセス応答メッセージを受信するように、当該ビーム方向又はサブビーム方向に対するランダムアクセス応答ウィンドウを起動してもよい。
【００７０】
図９は、本開示のさらに他の実施例によるランダムアクセス応答ウィンドウを起動する模示図である。図９に示すように、電子装置２００が３つのビーム方向においてチャネル検出手順を実行し、１番目のビーム方向及び３番目のビーム方向においてランダムアクセスプリアンブルシーケンスを送信し、各ビーム方向においてランダムアクセスプリアンブルシーケンスを２回送信すると仮定すると、電子装置２００は、１番目のビーム方向においてランダムアクセスプリアンブルシーケンスを１回送信した後、１番目のビーム方向に対するＲＡＲウィンドウ１を起動することができ、３番目のビーム方向においてランダムアクセスプリアンブルシーケンスを１回送信した後、３番目のビーム方向に対するＲＡＲウィンドウ２を起動することができる。
【００７１】
本開示の実施例によれば、各ＲＡＲウィンドウは、１つ又は複数のランダムアクセス応答メッセージを受信することができる。
【００７２】
例えば、図７及び図８に示す例では、電子装置２００は、１つのＲＡＲウィンドウのみを起動するので、当該ＲＡＲウィンドウは、１つ又は複数のランダムアクセス応答メッセージを含むことができる。つまり、当該ＲＡＲウィンドウは、ランダムアクセスプリアンブルシーケンスを送信した全てのビーム方向又はビームサブ方向に対するランダムアクセス応答メッセージを受信することができる。例えば、電子装置２００がＲＡＲウィンドウにおいて１番目のビーム方向に対するランダムアクセス応答メッセージを受信したときに、受信端として機能するセカンダリセルの基地局が１番目のビーム方向を介してランダムアクセスプリアンブルシーケンスを受信し、プライマリセルの基地局に通知するか(図１(ａ)におけるシナリオ)、又は、受信端として機能する基地局が１番目のビーム方向を介してランダムアクセスプリアンブルシーケンスを受信する(図１(ｂ)におけるシナリオ)ことを示す。電子装置２００がＲＡＲウィンドウにおいて３番目のビーム方向に対するランダムアクセス応答メッセージを受信したときに、受信端が３番目のビーム方向を介してランダムアクセスプリアンブルシーケンスを受信することを示し、電子装置２００がＲＡＲウィンドウにおいて１番目のビーム方向及び３番目のビーム方向に対するランダムアクセス応答メッセージを受信したときに、受信端がそれぞれ１番目のビーム方向及び３番目のビーム方向を介してランダムアクセスプリアンブルシーケンスを受信したことを示す。
【００７３】
また、例えば、図９に示す例では、電子装置２００は、ランダムアクセスプリアンブルシーケンスを送信した各ビーム方向又はビームサブ方向に対して１つのＲＡＲウィンドウを起動し、このように、各ＲＡＲウィンドウは１つのランダムアクセス応答メッセージを含むことができ、当該ＲＡＲウィンドウは、その対応するビーム方向又はビームサブ方向に対するランダムアクセス応答メッセージを受信するためのものである。電子装置２００がＲＡＲウィンドウ１において１番目のビーム方向に対するランダムアクセス応答メッセージを受信したときに、受信端が１番目のビーム方向を介してランダムアクセスプリアンブルシーケンスを受信したことを示し、電子装置２００がＲＡＲウィンドウ２において３番目のビーム方向に対するランダムアクセス応答メッセージを受信したときに、受信端が３番目のビーム方向を介してランダムアクセスプリアンブルシーケンスを受信したことを示す。
【００７４】
上記のように、電子装置２００は、ランダムアクセスプリアンブルシーケンスを送信するとともにランダムアクセス応答メッセージを受信することができる。このような方式は非競争方式に基づくランダムアクセス手順に使用可能であり、即ち、電子装置２００がランダムアクセス応答メッセージを受信した後、ランダムアクセス手順は終了し、電子装置２００はアップリンクデータを送信することができる。例えば、この場合は図１(ａ)に示すシナリオに適用する。
【００７５】
本開示の実施例によれば、処理回路２１０は、受信したランダムアクセス応答メッセージに従って、アップリンクデータを送信するための無認可スペクトルのビーム方向又はサブビーム方向を確定することができる。
【００７６】
本開示の実施例によれば、ランダムアクセス応答メッセージは、プライマリセル基地局が受信したランダムアクセスプリアンブルシーケンスを含むことができる(セカンダリセル基地局がランダムアクセスプリアンブルシーケンスを受信した後、プライマリセル基地局に通知するので、セカンダリセル基地局がランダムアクセスプリアンブルシーケンスを受信することは、プライマリセル基地局がランダムアクセスプリアンブルシーケンスを受信することに相当する)。さらに、処理回路２１０は、アップリンクデータを送信するための無認可スペクトルのビーム方向又はサブビーム方向がランダムアクセス応答メッセージに含まれるランダムアクセスプリアンブルシーケンスが位置するビーム方向又はサブビーム方向であることを確定することができる。
【００７７】
上記のように、電子装置２００は、異なるビーム方向又はサブビーム方向に対して、異なるランダムアクセスプリアンブルシーケンスを送信することができる。そのため、電子装置２００がランダムアクセス応答メッセージを受信した場合、ランダムアクセス応答メッセージにおけるランダムアクセスプリアンブルシーケンスを抽出し、ランダムアクセス応答メッセージにおけるランダムアクセスプリアンブルシーケンスに従って、プライマリセル基地局が受信したランダムアクセスプリアンブルシーケンスが位置するビーム方向又はサブビーム方向を確定することができる。具体的に、処理回路２１０は、抽出したランダムアクセス応答メッセージにおけるランダムアクセスプリアンブルシーケンスを電子装置２００から送信されるランダムアクセスプリアンブルシーケンスと比較し、抽出したランダムアクセス応答メッセージにおけるランダムアクセスプリアンブルシーケンスが電子装置２００から送信される１つのランダムアクセスプリアンブルシーケンスと同じであるときに、プライマリセル基地局が受信したランダムアクセスプリアンブルシーケンスが位置するビーム方向又はサブビーム方向が、当該１つのランダムアクセスプリアンブルシーケンスが位置するビーム方向又はサブビーム方向であることを確定することができる。例えば、電子装置２００がビーム方向１を使用してプリアンブルシーケンス１を送信し、ビーム方向３を使用してプリアンブルシーケンス２を送信し、かつ、電子装置２００が受信したランダムアクセス応答メッセージにプリアンブルシーケンス２が含まれると仮定すると、電子装置２００は、プライマリセル基地局がビーム方向３を介してプリアンブルシーケンス２を受信したことを確定することができる。さらに、電子装置２００は、アップリンクデータを送信するための無認可スペクトルのビーム方向又はサブビーム方向がビーム方向３であることを確定することができる。
【００７８】
本開示の実施例によれば、処理回路２１０がアップリンクデータを送信するための無認可スペクトルのビーム方向又はサブビーム方向を確定した後、当該ビーム方向又はサブビーム方向において無認可スペクトルを利用してアップリンクデータをセカンダリセル基地局に送信することができる。
【００７９】
また、本開示の実施例によれば、電子装置２００がランダムアクセスプリアンブルシーケンスを送信するとともにランダムアクセス応答メッセージを受信するような方式は、競争方式に基づくランダムアクセス手順に使用されてもよく、即ち、電子装置２００がランダムアクセス応答メッセージを受信した後、ランダムアクセス手順は終了せず、電子装置２００はアップリンク伝送メッセージを送信することができ、アップリンク伝送メッセージはＲＲＣ(Ｒａｄｉｏ  Ｒｅｓｏｕｒｃｅ  Ｃｏｎｔｒｏｌ、無線リソース制御)接続要求メッセージを含むがこれに限定されない。当然ながら、アップリンク伝送メッセージは、ＲＲＣ接続要求メッセージ以外の他のメッセージを含んでもよく、ここで、一一列挙しない。この場合は図１(ａ)及び図１(ｂ)に示すシナリオに適用する。
【００８０】
本開示の実施例によれば、処理回路２１０は、受信したランダムアクセス応答メッセージに従って、アップリンク伝送メッセージを送信するための無認可スペクトルのビーム方向を確定することができる。例えば、処理回路２１０は、アップリンク伝送メッセージを送信するための無認可スペクトルのビーム方向又はサブビーム方向がランダムアクセス応答メッセージに含まれるランダムアクセスプリアンブルシーケンスに対応するビーム方向又はサブビーム方向であることを確定することができる。ここで、アップリンク伝送メッセージを送信する無認可スペクトルのビーム方向を確定する方法は、上述したアップリンクデータを送信する無認可スペクトルのビーム方向を確定する方法と類似してもよく、ここで再度説明しない。本開示の実施例によれば、処理回路２１０が、アップリンク伝送メッセージを送信するための無認可スペクトルのビーム方向を確定した後、送受信回路２２０はアップリンク伝送メッセージを送信することができる。
【００８１】
本開示の実施例によれば、例えばＲＲＣ接続要求メッセージのアップリンク伝送メッセージは、電子装置２００の識別情報を含むことができ、電子装置２００のＲＮＴＩ(Ｒａｄｉｏ  Ｎｅｔｗｏｒｋ  Ｔｅｍｐｏｒｙ  Ｉｄｅｎｔｉｔｙ、無線ネットワーク一時的なアイデンティティ)を含むが、これに限定されない。
【００８２】
本開示の実施例によれば、送受信回路２２０は、アップリンク伝送メッセージに応答する伝送応答メッセージを受信してもよい。伝送応答メッセージはＲＲＣ接続応答メッセージを含むがこれに限定されず、ＲＲＣ接続応答メッセージは電子装置２００の識別情報を含む。当然ながら、伝送応答メッセージはＲＲＣ接続応答メッセージ以外の他のメッセージを含んでもよく、ここで一一列挙しない。ここで、送受信回路２２０が、電子装置２００の識別情報が含まれるＲＲＣ接続応答メッセージを受信したときに、電子装置２００の図１(ａ)に示すセカンダリセルの基地局又は図１(ｂ)に示す基地局へのアクセスが許可されたことを示す。
【００８３】
本開示の実施例によれば、送受信回路２２０が伝送応答メッセージを受信した後、送受信回路２２０は、アップリンク伝送メッセージを送信する無認可スペクトルのビーム方向を利用してアップリンクデータとアクセス完成メッセージを送信してもよい。アクセス完成メッセージはＲＲＣ接続完成メッセージを含むが、これに限定されない。つまり、送受信回路２２０がアップリンク伝送メッセージとアップリンクデータを送信するビーム方向は同じである。つまり、処理回路２１０が、受信したランダムアクセス応答メッセージに従って、アップリンク伝送メッセージとアップリンクデータを送信するための無認可スペクトルのビーム方向を確定する。
【００８４】
本開示の実施例によれば、さらにオーバーヘッドを削減するために、電子装置２００は、アップリンクデータをアップリンク伝送メッセージに含めてもよく、即ち、伝送応答メッセージを受信した後にアクセス完成メッセージを送信せず、ランダムアクセス手順を終了する。
【００８５】
本開示の実施例によれば、無認可スペクトルでのランダムアクセス手順を実現することができ、このようなランダムアクセス手順は、競争に基づくランダムアクセス手順であってもよいし、非競争に基づくランダムアクセス手順であってもよい。さらに、競争に基づくランダムアクセス手順では、電子装置２００によって送信する必要があるアップリンクデータが比較的少ないときに、シグナリングオーバーヘッドを削減するために、アップリンクデータをアップリンク伝送メッセージに含めて送信してもよい。
【００８６】
上記のように、電子装置２００は、ＲＡＲウィンドウがランダムアクセス応答メッセージを受信した場合、アップリンクデータ(及びアップリンク伝送メッセージ)を送信するためのビーム方向又はビームサブ方向を確定することができる。
【００８７】
本開示の実施例によれば、電子装置２００がＲＡＲウィンドウにおいていずれのランダムアクセス応答メッセージも受信していない場合に、処理回路２１０は、チャネルが忙しいとして検出される１つ又は複数のビーム方向においてチャネル検出手順を再実行してもよい。
【００８８】
本開示の実施例によれば、電子装置２００が、チャネルがアイドルとして検出されるビーム方向においてランダムアクセスプリアンブルシーケンスを送信した後、ＲＡＲウィンドウにおいて、いずれのビーム方向に対するランダムアクセス応答メッセージも受信していない場合、これらのチャネルがアイドルとして検出されるビーム方向が、最適な送信方向ではないかもしれないことを示す。例えば、これらのチャネルがアイドルとして検出されるビーム方向において、障碍物が存在するので、送信されたランダムアクセスプリアンブルシーケンスは受信されていない。この場合に、それらのチャネルが忙しいとして検出されるビーム方向が、より適切な送信方向であり得るので、処理回路２１０は、チャネルが忙しいとして検出されるビーム方向においてチャネル検出手順を再実行することができる。
【００８９】
本開示の実施例によれば、処理回路２１０は、チャネルが忙しいとして検出される全てのビーム方向においてチャネル検出手順を再実行してもよい。例えば、図６から９に示す例では、２番目のビーム方向は、チャネルが忙しいとして検出されるビーム方向に属するので、処理回路２１０は、２番目のビーム方向においてチャネル検出手順を再実行してもよい。図６から９は、チャネルが忙しいとして検出されるビーム方向が１つだけ存在することを示し、本開示の実施例によれば、チャネルが忙しいとして検出されるビーム方向が複数存在する場合、処理回路２１０はこれらの複数のビーム方向のそれぞれにおいてチャネル検出手順を再実行してもよい。
【００９０】
本開示の実施例によれば、チャネル検出手順を再実行する過程では、処理回路２１０は、各ビーム方向がアイドルとして検出されるまで、チャネルが忙しいとして検出される各ビーム方向に対して設置されるタイマーの時間を延長し、各ビーム方向においてランダムアクセスプリアンブルシーケンスを送信してもよい。
【００９１】
ここで、チャネルが忙しいとして検出される各ビーム方向に対して、処理回路２１０は、当該ビーム方向に対して設置されるイマーの時間を延長することができる。このようにして、タイマーが切れない限り、処理回路２１０は常に、当該ビーム方向がアイドルとして検出されるまで、当該ビーム方向においてＬＢＴ手順を実行することができる。これにより、電子装置２００は、当該ビーム方向においてランダムアクセスプリアンブルシーケンスを送信することができる。
【００９２】
さらに、本開示の実施例によれば、処理回路２１０は、チャネルが忙しいとして検出される各ビーム方向においてランダムアクセスプリアンブルシーケンスを送信する送信電力を向上させることができる。
【００９３】
本開示の実施例によれば、電子装置２００がランダムアクセス応答メッセージを受信していないときに、チャネルが忙しいとして検出されるビームに対してチャネル検出手順を再実行することができる。さらに、電子装置２００は、チャネルが忙しいとして検出されるビームのタイマーの時間を延長して、当該ビーム方向においてランダムアクセスプリアンブルシーケンスを送信することができる。また、電子装置２００は、当該ビーム方向において送信するランダムアクセスプリアンブルシーケンスの送信電力を向上させることができ、送信されたランダムアクセスプリアンブルシーケンスが成功に受信される確率を増加できる。このようにして、アップリンクデータを送信する適切なビーム方向が見つかる確率を増加させることができる。
【００９４】
本開示の実施例によれば、処理回路２１０は、チャネルが忙しいとして検出されるビーム方向においてチャネル検出手順を再実行した後、ＲＡＲウィンドウで、１つ又は複数のチャネルが忙しいとして検出されるビーム方向に対するランダムアクセス応答メッセージを受信した場合、処理回路２１０が、アップリンクデータ(及びアップリンク伝送メッセージ)を送信するための適切なビーム方向を見つけたことを示し、このようなビーム方向を利用してアップリンクデータ(及びアップリンク伝送メッセージ)を送信することができる。
【００９５】
本開示の実施例によれば、処理回路２１０が、チャネルが忙しいとして検出されるビームに対してチャネル検出手順を再実行した後でも、ＲＡＲウィンドウにおいていずれのランダムアクセス応答メッセージも受信していない場合、処理回路２１０によって、アップリンクデータ(及びアップリンク伝送メッセージ)を送信するための適切なビーム方向が見つけられていないことを示す。この場合、処理回路２１０がチャネル検出手順を最初実行するビーム方向に電子装置２００の周りの全てのビーム方向が含まれていないと、処理回路２１０は、チャネル検出手順が実行されていない他のビーム方向を試すことができる。
【００９６】
例えば、処理回路２１０が上述した第２の方式を使用してチャネル検出手順を実行し、即ち、処理回路２１０が受信したビーム方向情報に含まれるビーム方向のみにおいてチャネル検出手順を実行するときに、処理回路２１０によって、アップリンクデータ(及びアップリンク伝送メッセージ)を送信するためのビーム方向が見つけられていないと、処理回路２１０は、上述した第３の方式を使用してチャネル検出手順を実行し、即ち、処理回路２１０は、複数のビームサブ方向が含まれるビーム方向においてチャネル検出手順を実行する。処理回路２１０によって未だアップリンクデータ(及びアップリンク伝送メッセージ)を送信するための適切なビーム方向が見つけられていないと、処理回路２１０は、上述した第１の方式を使用してチャネル検出手順を実行し、即ち、電子装置２００の周りの全てのビーム方向に対してチャネル検出手順を実行することができる。当然ながら、上記実施例は単なる一例であり、制限的なものではない。
【００９７】
上記のように、電子装置２００は、ビーム方向に基づいてチャネル検出手順を実行して、チャネルがアイドルとして検出されるビーム方向においてランダムアクセスプリアンブルシーケンスを送信することができる。このようにして、チャネル検出の效率を向上させ、チャネル検出手順による遅延を低下することができる。さらに、無認可バンドにおけるランダムアクセス手順が実現される。さらに、電子装置２００は、ＲＡＲウィンドウにおいてランダムアクセス応答メッセージを受信して、アップリンクデータ(及びアップリンク伝送メッセージ)の送信に適するビーム方向を確定することができる。また、電子装置２００は、アップリンクデータ(及びアップリンク伝送メッセージ)を送信するためのビーム方向が見つかる確率を増加するように、チャネルが忙しいとして検出されるビーム方向においてチャネル検出手順を再実行することができる。
【００９８】
＜３.第２の実施例＞
この実施例では、本開示の実施例による電子装置１０００について詳細に説明する。ここでの電子装置１０００は、無線通信システムにおけるネットワーク側装置であってもよく、具体的に、無線通信システムにおけるプライマリセルのネットワーク側装置であってもよく、例えば、図１(ａ)に示すプライマリセルの基地局である。さらに、電子装置１０００が位置する無線通信システムはＮＲ通信システムであってもよい。
【００９９】
図１０は、本開示の実施例による電子装置１０００の構成例を示すブロック図である。
【０１００】
図１０に示すように、電子装置１０００は、処理回路１０１０と送受信回路１０２０を含むことができる。なお、電子装置１０００は１つの処理回路１０１０を含んでもよいし、複数の処理回路１０１０を含んでもよい。
【０１０１】
さらに、処理回路１０１０は、様々な異なる機能及び／又は操作を実行するように、様々な別個の機能ユニットを含むことができる。なお、これらの機能ユニットは、物理エンティティ又は論理エンティティであってよく、異なる呼称のユニットは同一の物理エンティティによって実現することができる。
【０１０２】
本開示の実施例によれば、処理回路１０１０は、電子装置１０００のカバレッジ内の端末装置の１つ又は複数の好ましい送信ビーム方向を確定することができる。
【０１０３】
本開示の実施例によれば、送受信回路１０２０は、１つ又は複数の好ましい送信ビーム方向が含まれるビーム方向情報を端末装置に送信することができる。
【０１０４】
上記のように、電子装置１０００は、ビーム方向情報を端末装置に送信することができ、端末装置は当該ビーム方向情報に含まれるビーム方向を使用してチャネル検出手順を実行して、ランダムアクセスプリアンブルシーケンスを送信する。このようにして、端末装置がチャネル検出手順を実行する必要がある回数を低減し、チャネル検出の效率を向上させ、チャネル検出手順による遅延を低下することができる。さらに、無認可バンドにおけるランダムアクセス手順が実現される。
【０１０５】
本開示の実施例によれば、処理回路１０１０は少なくとも端末装置の位置情報及び端末装置が位置するセカンダリセルの基地局の位置情報に従って、端末装置の１つ又は複数の好ましい送信ビーム方向を確定することができる。ここで、端末装置及びセカンダリセルの基地局がいずれも電子装置１０００のカバレッジ内に位置するので、電子装置１０００は、位置情報を含む端末装置及びセカンダリセル基地局の関連情報を知っており、よって、端末装置の好ましい送信ビーム方向を推定することができ、これらの送信ビーム方向は、端末装置がランダムアクセスプリアンブルシーケンスをセカンダリセル基地局に送信するために使用される。
【０１０６】
本開示の実施例によれば、送受信回路１０２０は、ランダムアクセス手順をトリガーするときにＰＤＣＣＨ(Ｐｈｙｓｉｃａｌ  Ｄｏｗｎｌｉｎｋ  Ｃｏｎｔｒｏｌ  Ｃｈａｎｎｅｌ、物理ダウンリンク制御チャネル)を利用してビーム方向情報を端末装置に送信することができる。ここで、電子装置１０００は、ランダムアクセス手順をトリガーする必要があるタイミングを確定することができ、前記ランダムアクセス手順は、端末装置をセカンダリセル基地局にランダムアクセスさせる。さらに、電子装置１０００は、ＰＤＣＣＨを利用してビーム方向情報が含まれるトリガー情報を端末装置に送信する。
【０１０７】
本開示の実施例によれば、端末装置に送信されるビーム方向情報は、１つ又は複数の好ましい送信ビーム方向の好ましい順序を含んでもよい。
【０１０８】
本開示の実施例によれば、送受信回路１０２０は、さらにランダムアクセス応答メッセージを端末装置に送信してもよく、ランダムアクセス応答メッセージは、送受信回路１０２０によって受信されるランダムアクセスプリアンブルシーケンスを含む。
【０１０９】
本開示の実施例によれば、送受信回路１０２０は、端末装置がアップリンクデータをセカンダリセル基地局に送信するビーム方向を選択するように、セカンダリセル基地局からセカンダリセル基地局が受信したランダムアクセスプリアンブルシーケンスを取得し、受信したランダムアクセスプリアンブルシーケンスをランダムアクセス応答メッセージに含めて端末装置に送信することができる。
【０１１０】
図１１は、本開示の実施例によるランダムアクセス手順のシグナリングフローチャートである。図１１に示すシグナリングフローチャートは、図１(ａ)に示すシナリオに適用することができる。図１１に示すように、ステップＳ１１１０では、プライマリセル基地局は、ＵＥとセカンダリセル基地局との間のランダムアクセス手順をトリガーする必要があることを確定して、ＰＤＣＣＨ命令をＵＥに送信する。任意選択で、当該ＰＤＣＣＨ命令は、ＵＥのビーム方向情報を含んでもよい。次に、ステップＳ１１２０では、ＵＥは、チャネル検出手順を実行して、チャネルがアイドルとして検出されるビーム方向においてランダムアクセスプリアンブルシーケンスをセカンダリセル基地局に送信する。次に、ステップＳ１１３０では、プライマリセル基地局はランダムアクセス応答メッセージをＵＥに送信し、ＵＥは、ＲＡＲウィンドウにおいてランダムアクセス応答メッセージを受信することができる。次に、ステップＳ１１４０では、ＵＥは、確定されたアップリンクデータを送信するためのビーム方向を利用してアップリンクデータをセカンダリセル基地局に送信する。ここで、ステップＳ１１２０及びＳ１１３０で、アップリンクデータを送信するための適切なビーム方向が見つからない場合、ＵＥは、アップリンクデータを送信するためのビーム方向が見つかるまで、チャネルが忙しいとして検出されるビーム方向においてチャネル検出手順を再実行してもよい。図１１に示すステップでは、ステップＳ１１１０及びＳ１１３０では、認可スペクトルによってプライマリセル基地局から情報を受信し、ステップＳ１１２０及びＳ１１４０では、無認可スペクトルによって情報をセカンダリセル基地局に送信する。図１１に示すように、ＵＥは、セカンダリセル基地局に成功にアクセスし、無認可スペクトルを利用してアップリンクデータをセカンダリセル基地局に送信する。ここで、図１１は、非競争方式に基づくランダムアクセス手順のみを示す。競争方式に基づくランダムアクセス手順を使用するときに、ステップＳ１１３０の後かつステップＳ１１４０の前に、ＵＥは、アップリンク伝送メッセージを送信して伝送応答メッセージを受信してもよい。
【０１１１】
本開示の実施例によれば、電子装置１０００は、そのカバレッジ内の電子装置２００にサービスを提供するので、第１の実施例における電子装置２００に関する全ての実施形態はここに適用することができる。
【０１１２】
＜４.第３の実施例＞
この実施例では、本開示の実施例による電子装置１２００について詳細に説明する。ここでの電子装置１２００は、例えば、図１(ｂ)に示す基地局のような無線通信システムにおけるネットワーク側装置であってもよい。さらに、電子装置１２００が位置する無線通信システムはＮＲ通信システムであってもよい。
【０１１３】
図１２は、本開示の実施例による電子装置１２００の構成例を示すブロック図である。
【０１１４】
図１２に示すように、電子装置１２００は、処理回路１２１０と送受信回路１２２０を含むことができる。なお、電子装置１２００は１つの処理回路１２１０を含んでもよいし、複数の処理回路１２１０を含んでもよい。
【０１１５】
さらに、処理回路１２１０は、様々な異なる機能及び／又は操作を実行するように、様々な別個の機能ユニットを含むことができる。なお、これらの機能ユニットは、物理エンティティ又は論理エンティティであってもよく、異なる呼称のユニットは同一の物理エンティティによって実現することができる。
【０１１６】
本開示の実施例によれば、処理回路１２１０は、無認可スペクトルの１つ又は複数のビーム方向においてチャネル検出手順を実行することができる。
【０１１７】
ここで、処理回路１２１０は、本分野で知られている任意の方法を使用してチャネル検出手順を実行することができる。例えば、処理回路１２１０は、アイドルチャネル評価の方式によってチャネルがアイドルであるかどうかをチェックするために、ＬＢＴ手順を実行することができる。本開示の実施例によれば、処理回路１２１０は、１つ又は複数のビーム方向の各ビーム方向においてこのようなチャネル検出手順を実行することができる。つまり、処理回路１２１０は、特定のビーム方向に対してチャネル検出手順を実行し、即ち、処理回路１２１０は、特定のビーム方向を監視して、当該特定のビーム方向がアイドルであるかどうかを確定することができる。特定のビーム方向がアイドルであるときに、当該特定のビーム方向においてデータを送信する装置がないか、又は、当該特定のビーム方向においてデータを送信する装置によってもたらす干渉が所定の範囲内にあることを示し、このようにして、電子装置１２００は、このような特定方向を使用することができる。
【０１１８】
本開示の実施例によれば、送受信回路１２２０は、チャネルがアイドルとして検出される１つ又は複数のビーム方向においてランダムアクセス応答メッセージを送信することができ、前記ランダムアクセス応答メッセージは、送受信回路１２２０によって受信されたランダムアクセスプリアンブルシーケンスを含む。
【０１１９】
これにより、本開示の実施例によれば、電子装置は、ビーム方向に基づいてチャネル検出手順を実行して、チャネルがアイドルとして検出されるビーム方向においてランダムアクセス応答メッセージを送信することができる。つまり、ビームに基づく指向性方式を使用してランダムアクセス応答メッセージを送信する。このようにして、チャネル検出の效率を向上させ、チャネル検出手順による遅延を低下することができる。さらに、無認可バンドにおけるランダムアクセス手順が実現される。
【０１２０】
本開示の実施例によれば、処理回路１２１０は、電子装置１２００のカバレッジ内の端末装置の１つ又は複数の好ましい送信ビーム方向を確定することができる。本開示の実施例によれば、送受信回路１２２０は、１つ又は複数の好ましい送信ビーム方向が含まれるビーム方向情報を端末装置に送信することができる。
【０１２１】
上記のように、電子装置１２００は、ビーム方向情報を端末装置に送信することができ、端末装置が当該ビーム方向情報に含まれるビーム方向を利用してチャネル検出手順を実行してランダムアクセスプリアンブルシーケンスを送信する。このようにして、端末装置がチャネル検出手順を実行する必要がある回数を低減し、チャネル検出の效率を向上させ、チャネル検出手順による遅延を低下することができる。さらに、無認可バンドにおけるランダムアクセス手順が実現される。
【０１２２】
本開示の実施例によれば、処理回路１２１０は少なくとも、端末装置の位置情報に従って、端末装置の１つ又は複数の好ましい送信ビーム方向を確定することができる。ここで、端末装置が電子装置１２００のカバレッジ内に位置するので、電子装置１２００は位置情報を含む端末装置の関連情報を知っており、端末装置の好ましい送信ビーム方向を推定することができ、これらの送信ビーム方向は、端末装置が電子装置１２００にランダムアクセスプリアンブルシーケンスを送信するために使用される。
【０１２３】
本開示の実施例によれば、送受信回路１２２０はさらに、ランダムアクセスプリアンブルシーケンスを受信し、受信したランダムアクセスプリアンブルシーケンスに応答することができ、処理回路１２１０は、無認可スペクトルの１つ又は複数のビーム方向においてチャネル検出手順を実行することができる。ここで、送受信回路１２２０によって受信されたランダムアクセスプリアンブルシーケンスは電子装置１２００のカバレッジ内の端末装置によって送信されるものであってもよい。さらに、電子装置１２００によって送信されるランダムアクセス応答メッセージは、電子装置１２００によって受信されるランダムアクセスプリアンブルシーケンスを含む。
【０１２４】
本開示の実施例によれば、処理回路１２１０がチャネル検出手順を実行する例は、電子装置２００の処理回路２１０がチャネル検出手順を実行する例と類似してもよい。例えば、処理回路１２１０は、１つ又は複数のビーム方向においてチャネル検出手順を順次に実行することができる。ここで、処理回路１２１０は、一定の準則に従って、チャネル検出手順を実行するビーム方向の順序を確定することができる。
【０１２５】
本開示の実施例によれば、処理回路１２１０は、電子装置１２００によって形成される全てのビーム方向のそれぞれに対してチャネル検出手順を実行することができる。つまり、チャネル検出手順を実行する１つ又は複数のビーム方向とは、電子装置１２００によって形成される全てのビーム方向を意味する。ここで、各ビーム方向に沿って、ランダムアクセス応答メッセージ又は他の情報を送信することができる１つのビームが存在する。
【０１２６】
本開示の実施例によれば、処理回路１２１０は、電子装置１２００の１つ又は複数の好ましい送信ビームを確定することができる。さらに、処理回路１２１０は、これらの１つ又は複数の好ましい送信ビームの好ましい順序を確定することもできる。ここで、電子装置１２００がそのカバレッジ内の端末装置にサービスを提供するので、端末装置の全ての関連情報を知ることができ、電子装置１２００がランダムアクセス応答メッセージを送信するための最適な送信ビーム情報を推測することができる。本開示の実施例によれば、チャネル検出手順を実行する１つ又は複数のビーム方向とは、電子装置１２００によって確定される全ての好ましい送信ビームを意味する。さらに、処理回路１２１０は、確定された好ましい順序に従って、これらの１つ又は複数のビーム方向においてチャネル検出手順を順次に実行することができる。本開示の上記実施例によれば、電子装置１２００は、好ましいビーム方向のみにおいてチャネル検出手順を実行することができ、それによって、チャネル検出手順を実行する必要がある範囲が縮小され、チャネル検出の時間が節約される。
【０１２７】
本開示の実施例によれば、チャネル検出手順を実行する１つ又は複数のビーム方向のそれぞれは、複数のサブビーム方向を含むことができ、各サブビーム方向に沿って、ランダムアクセス応答メッセージ又は他の情報を送信することができる１つのビームが存在する。つまり、処理回路１２１０は、複数のサブビームを１つのビームに組み合わせることができる。ここで、各ビームに含まれるサブビームの数は同じであってもよいし異なってもよい。本開示の実施例によれば、処理回路１２１０は各ビーム上においてチャネル検出手順を実行することができる。ビームのチャネル検出結果がアイドルである場合、当該ビームに含まれる全てのサブビームがアイドルであることを示し、この場合、電子装置１２００は、当該ビームにおける全てのサブビームを利用してランダムアクセス応答メッセージを送信することができる。つまり、上記実施例では、チャネル検出手順を実行する１つ又は複数のビーム方向とは、電子装置１２００の周りの全てのビーム方向を意味する。各ビーム方向は複数のサブビーム方向を含み、各サブビーム方向に沿って、情報を送信することができる１つのビームが存在する。本開示の上記実施例によれば、電子装置１２００は、ビーム方向のみにおいてチャネル検出手順を実行することができ、ビーム方向の数がサブビーム方向の数よりも小さいので、チャネル検出手順を実行する必要がある回数が縮小され、チャネル検出の時間が節約される。
【０１２８】
上記のように、電子装置１２００は、上記実施例のうちのいずれかに従ってチャネル検出手順を実行してもよく、一定の準則に従って、上記実施例を組み合わせてもよい。
【０１２９】
本開示の実施例によれば、送受信回路１２２０は、電子装置１２００のカバレッジ内の端末装置からアップリンク伝送メッセージを受信してもよい。アップリンク伝送メッセージは、ＲＲＣ接続要求メッセージを含み、ＲＲＣ接続要求メッセージは端末装置の識別情報を含むが、これに限定されない。
【０１３０】
本開示の実施例によれば、送受信回路１２２０は、電子装置１２００へのアクセスが許可される端末装置に伝送応答メッセージを送信してもよい。伝送応答メッセージはＲＲＣ接続応答メッセージを含み、例えば、ＲＲＣ接続応答メッセージの伝送応答メッセージは、電子装置１２００へのアクセスが許可される端末装置の識別情報を含むことができるが、これに限定されない。
【０１３１】
本開示の実施例によれば、送受信回路１２２０が伝送応答メッセージを送信するビーム方向は、ランダムアクセス応答メッセージを送信するビーム方向と同じであり、つまり、ビームに基づく指向性方式を使用して伝送応答メッセージを送信することができる。さらに、処理回路１２１０は、電子装置１２００のカバレッジ内の端末装置がアップリンク伝送メッセージを送信し、電子装置１２００が、電子装置１２００へのアクセスが許可される端末装置にアップリンク伝送メッセージの伝送応答メッセージを送信するように、ランダムアクセス応答メッセージを送信するときに使用される無認可スペクトルを予備することができる。つまり、電子装置１２００がランダムアクセス応答メッセージを送信し、端末装置がアップリンク伝送メッセージを送信し、電子装置１２００が伝送応答メッセージを送信するための無認可スペクトルのリソースは同じである。これは、電子装置１２００がランダムアクセス応答メッセージの送信を開始するときにＭＣＯＴ(Ｍａｘ  Ｃｈａｎｎｅｌ  Ｏｃｃｕｐｙ  Ｔｉｍｅ、最大チャネル占有時間)の値を合理的に設置することによって実現することができ、例えば、電子装置１２００がランダムアクセス応答メッセージを送信し、端末装置がアップリンク伝送メッセージを送信し、電子装置１２００が伝送応答メッセージを送信することは、いずれもＭＣＯＴの範囲において完成されるように、ＭＣＯＴを８０ｍｓに設置する。
【０１３２】
本開示の実施例によれば、電子装置１２００は、アップリンク伝送メッセージの受信に応答することによって、アップリンク伝送メッセージを送信した端末装置の電子装置１２００へのアクセスが許可されるかどうかを判断し、電子装置１２００へのアクセスが許可される端末装置に伝送応答メッセージを送信することができる。
【０１３３】
本開示の実施例によれば、電子装置１２００は、端末装置からアクセス完成メッセージ及びアップリンクデータを受信してもよい。アクセス完成メッセージは、ＲＲＣ接続完成メッセージを含むがこれに限定されない。ここで、電子装置１２００は、伝送応答メッセージを送信した後、アクセス完成メッセージ及びアップリンクデータを受信することができる。この場合、電子装置１２００によって予備されるランダムアクセス応答メッセージを送信するときに使用される無認可スペクトルは、端末装置がアクセス完成メッセージ及びアップリンクデータを送信するときに使用されてもよく、即ち、端末装置がアクセス完成メッセージ及びアップリンクデータを送信する処理も、ＭＣＯＴの範囲内において完成する必要がある。また、電子装置１２００は、アップリンク伝送メッセージを受信すると同時にアップリンクデータを受信してもよい。
【０１３４】
図１３は、本開示の他の実施例によるランダムアクセス手順のシグナリングフローチャートである。図１３に示すシグナリングフローチャートは、図１(ｂ)に示すシナリオに適用する。図１３に示すように、ステップＳ１３１０では、ＵＥはチャネル検出手順を実行し、チャネルがアイドルとして検出されるビーム方向においてランダムアクセスプリアンブルシーケンスを基地局に送信する。ここで、ＵＥは、第１の実施例のいずれかの方式を使用してランダムアクセスプリアンブルシーケンスを基地局に送信することができる。次に、ステップＳ１３２０では、基地局はチャネル検出手順を実行し、チャネルがアイドルとして検出されるビーム方向においてランダムアクセス応答メッセージをＵＥに送信する。次に、ステップＳ１３３０では、ＵＥはアップリンク伝送メッセージを基地局に送信し、その中にＵＥの識別情報が含まれてもよい。次に、ステップＳ１３４０では、基地局は伝送応答メッセージをＵＥに送信する。ここで、基地局がＵＥの基地局へのアクセスを許可すると仮定すると、伝送応答メッセージにはＵＥの識別情報が含まれる。また、基地局がステップＳ１３４０で伝送応答メッセージを送信するために使用するビームは、ステップＳ１３２０でランダムアクセス応答メッセージを送信するために使用するビームと同じである。次に、ステップＳ１３５０では、ＵＥはアクセス完成メッセージ及びアップリンクデータを基地局に送信する。ここで、ＵＥがステップＳ１３３０でアップリンク伝送メッセージを送信するために使用するビームは、ステップＳ１３５０でアクセス完成メッセージ及びアップリンクデータを送信するために使用するビームと同じである。また、基地局は、ランダムアクセス応答メッセージの送信を開始するときに、ランダムアクセス応答メッセージを送信する無認可スペクトルリソースを予備するので、ステップＳ１３２０、Ｓ１３３０、Ｓ１３４０及びＳ１３５０で使用される無認可スペクトルのリソースが同じであり、いずれもＭＣＯＴの範囲内において完成される。図１３に示すように、ＵＥは、基地局に成功にアクセスし、無認可スペクトルを利用してアップリンクデータを基地局に送信する。
【０１３５】
図１４は、本開示の他の実施例によるランダムアクセス手順のシグナリングフローチャートである。図１４に示すシグナリングフローチャートは、図１(ｂ)に示すシナリオに適用する。図１４に示すように、ステップＳ１４１０では、ＵＥは、チャネル検出手順を受信し、チャネルがアイドルとして検出されるビーム方向においてランダムアクセスプリアンブルシーケンスを基地局に送信する。ここで、ＵＥは、第１の実施例のいずれかの方式を使用してランダムアクセスプリアンブルシーケンスを基地局に送信することができる。次に、ステップＳ１４２０では、基地局はチャネル検出手順を実行し、チャネルがアイドルとして検出されるビーム方向においてランダムアクセス応答メッセージをＵＥに送信する。次に、ステップＳ１４３０では、ＵＥはアップリンク伝送メッセージを基地局に送信し、その中にＵＥの識別情報が含まれてもよい。さらに、ＲＲＣ接続要求メッセージはアップリンクデータをさらに含む。次に、ステップＳ１４４０では、基地局は伝送応答メッセージをＵＥに送信する。ここで、基地局がＵＥの基地局へのアクセスを許可すると仮定すると、伝送応答メッセージにはＵＥの識別情報が含まれる。また、基地局がステップＳ１４４０で伝送応答メッセージを送信するために使用されるビームは、ステップＳ１４２０でランダムアクセス応答メッセージを送信するために使用されるビームと同じである。また、基地局は、ランダムアクセス応答メッセージの送信を開始するときにランダムアクセス応答メッセージを送信する無認可スペクトルリソースを予備するので、ステップＳ１４２０、Ｓ１４３０及びＳ１４４０で使用される無認可スペクトルのリソースが同じであり、いずれもＭＣＯＴの範囲内において完成される。図１４に示すように、ＵＥは基地局に成功にアクセスし、無認可スペクトルを利用してアップリンクデータを基地局に送信する。また、図１４は、アクセス完成メッセージを送信するステップが省略されるので、シグナリングを効果的に節約できる。
【０１３６】
本開示の実施例によれば、電子装置１２００はそのカバレッジ内の電子装置２００にサービスを提供することができるので、第１の実施例における電子装置２００に関する全ての実施形態はここに適用可能である。
【０１３７】
なお、図１(ｂ)に示すシナリオは、ＣＡ(Ｃａｒｒｉｅｒ  Ａｇｇｒｅｇａｔｉｏｎ、キャリアアグリゲーション)を使用する場合に適用でき、即ち、図１(ａ)に示すシナリオと類似し、通信システムはプライマリセル及びセカンダリセルを含むことができ、相違点は、ＵＥとプライマリ、セカンダリセルとの間の通信がいずれも無認可バンドを使用することである。この場合、ＵＥとセカンダリセルの基地局との間のランダムアクセス手順は上記の実施例のような任意の方式を使用することができる。さらに、無認可バンドのみを使用するＣＡシナリオでは、ＵＥとセカンダリセルとのランダムアクセス手順は以下のような方式を使用することができる。
(１).ＵＥとセカンダリセルとのランダムアクセスは、プライマリセルによって完成する。図１３-１４に示す方式を例として、前記ステップＳ１３１０-Ｓ１３４０(Ｓ１４１０-１４４０)はいずれも、ＵＥとプライマリセルの基地局が無認可バンドでインタラクションを完成する。
(２).ＵＥとセカンダリセルとのランダムアクセスは、プライマリセルとセカンダリセルによって共同で完成する。図１３-１４に示す方式を例として、前記ステップＳ１３１０-Ｓ１３３０(Ｓ１４１０-１４３０)は、ＵＥとプライマリセルの基地局がそれらの通信の無認可バンドを使用してインタラクションを完成し、前記ステップＳ１３４０(Ｓ１４４０)のメッセージは、セカンダリセルの基地局によってＵＥと通信する無認可バンドを利用してＵＥに送信される、又は、
(３).ＵＥとセカンダリセルとのランダムアクセスは、セカンダリセルによって完成する。図１３-１４に示す方式を例として、前記ステップＳ１３１０-Ｓ１３４０(Ｓ１４１０-１４４０)はいずれも、ＵＥとセカンダリセルの基地局が無認可バンドでインタラクションを完成する。
【０１３８】
＜５.第４の実施例＞
次に、本開示による無線通信システムにおける電子装置２００によって実行される無線通信方法について詳細に説明する。ここでの電子装置は、無線通信システムにおける端末装置であってもよく、第１の実施例における電子装置２００の全ての実施形態はここに適用可能である。
【０１３９】
図１５は、本開示の実施例による電子装置２００によって実行される無線通信方法を示すフローチャートである。
【０１４０】
図１５に示すように、ステップＳ１５１０では、無認可スペクトルの１つ又は複数のビーム方向において、チャネル検出手順を実行する。
【０１４１】
次に、ステップＳ１５２０では、チャネルがアイドルとして検出される１つ又は複数のビーム方向において、ランダムアクセスプリアンブルシーケンスを送信する。
【０１４２】
好ましくは、方法はさらに、ビーム方向情報を受信することを含み、チャネル検出手順を実行することは、前記ビーム方向情報に含まれる１つ又は複数のビーム方向において、チャネル検出手順を順次に実行することを含む。
【０１４３】
好ましくは、前記無認可スペクトルの各ビーム方向は複数のサブビーム方向を含み、ランダムアクセスプリアンブルシーケンスを送信することは、チャネルがアイドルとして検出される各ビーム方向に含まれる複数のサブビーム方向においてランダムアクセスプリアンブルシーケンスを送信することを含む。
【０１４４】
好ましくは、ランダムアクセスプリアンブルシーケンスを送信することは、異なるビーム方向に対して、異なるランダムアクセスプリアンブルシーケンスを送信することを含む。
【０１４５】
好ましくは、ランダムアクセスプリアンブルシーケンスを送信することは、チャネルがアイドルとして検出される各ビーム方向において、前記ビーム方向に対するランダムアクセスプリアンブルシーケンスを１回又は複数回送信することを含む。
【０１４６】
好ましくは、方法はさらに、最も長いチャネル占有時間ＭＣＯＴに従って、チャネルがアイドルとして検出される各ビーム方向において前記ビーム方向に対するランダムアクセスプリアンブルシーケンスを送信する回数を確定することを含む。
【０１４７】
好ましくは、方法はさらに、現在のビーム方向においてチャネル検出手順の実行を開始するときにタイマーを起動し、前記タイマーが切れる前に現在のビーム方向がアイドルとして検出されなかったときに、次のビーム方向においてチャネル検出手順の実行を開始することを含む。
【０１４８】
好ましくは、方法はさらに、ランダムアクセス応答メッセージを受信するために、ランダムアクセス応答ウィンドウを起動することを含む。
【０１４９】
好ましくは、ランダムアクセス応答ウィンドウを起動することは、チャネルがアイドルとして検出される全てのビーム方向においてランダムアクセスプリアンブルシーケンスを送信した後、前記ランダムアクセス応答ウィンドウを起動することを含む。
【０１５０】
好ましくは、ランダムアクセス応答ウィンドウを起動することは、チャネルがアイドルとして検出される１番目のビーム方向において第１回のランダムアクセスプリアンブルシーケンスを送信した後、前記ランダムアクセス応答ウィンドウを起動することを含む。
【０１５１】
好ましくは、ランダムアクセス応答ウィンドウを起動することは、チャネルがアイドルとして検出される各ビーム方向において第１回のランダムアクセスプリアンブルシーケンスを送信した後、前記ビーム方向に対するランダムアクセス応答ウィンドウを起動することを含む。
【０１５２】
好ましくは、方法はさらに、受信したランダムアクセス応答メッセージに従って、アップリンクデータを送信するための無認可スペクトルのビーム方向を確定することを含む。
【０１５３】
好ましくは、方法はさらに、ランダムアクセス応答メッセージが受信されていない場合に、チャネルが忙しいとして検出される１つ又は複数のビーム方向においてチャネル検出手順を再実行することを含む。
【０１５４】
好ましくは、チャネル検出手順を再実行することは、各ビーム方向がアイドルとして検出されるまで、チャネルが忙しいとして検出される各ビーム方向に対して設置されるタイマーの時間を延長し、各ビーム方向においてランダムアクセスプリアンブルシーケンスを送信すること、を含む。
【０１５５】
好ましくは、チャネル検出手順を再実行することは、各ビーム方向においてランダムアクセスプリアンブルシーケンスを送信する送信電力を増加させることを含む。
【０１５６】
好ましくは、方法はさらに、受信したランダムアクセス応答メッセージに従って、アップリンク伝送メッセージを送信するための無認可スペクトルのビーム方向を確定することと、前記アップリンク伝送メッセージを送信することとを含む。
【０１５７】
好ましくは、アップリンク伝送メッセージは、無線リソース制御ＲＲＣ接続要求メッセージを含み、ＲＲＣ接続要求メッセージは電子装置の識別情報を含む。
【０１５８】
好ましくは、ＲＲＣ接続要求メッセージは、アップリンクデータをさらに含む。
【０１５９】
好ましくは、方法はさらに、アップリンク伝送メッセージの伝送応答メッセージを受信することを含む。
【０１６０】
好ましくは、伝送応答メッセージは、無線リソース制御ＲＲＣ接続応答メッセージを含み、ＲＲＣ接続応答メッセージは電子装置の識別情報を含む。
【０１６１】
好ましくは、前記無線通信システムは、新しい無線ＮＲ通信システムであり、前記電子装置は端末装置である。
【０１６２】
本開示の実施例による電子装置２００によって実行される無線通信方法は、第１の実施例を説明する際に既に詳細に説明したので、ここで再度説明しない。
【０１６３】
＜６.第５の実施例＞
次に、本開示による無線通信システムにおける電子装置１０００によって実行される無線通信方法について詳細に説明する。ここの電子装置は、無線通信システムにおけるネットワーク側装置であってもよく、第２の実施例における電子装置１０００の全ての実施形態はここに適用可能である。
【０１６４】
図１６は、本開示の実施例による電子装置１０００によって実行される無線通信方法を示すフローチャートである。
【０１６５】
図１６に示すように、ステップＳ１６１０では、前記電子装置のカバレッジ内の端末装置の１つ又は複数の好ましい送信ビーム方向を確定する。
【０１６６】
次に、ステップＳ１６２０では、前記１つ又は複数の好ましい送信ビーム方向が含まれるビーム方向情報を前記端末装置に送信する。
【０１６７】
好ましくは、方法はさらに、ランダムアクセス応答メッセージを前記端末装置に送信することを含み、前記ランダムアクセス応答メッセージは、電子装置１０００によって受信されたランダムアクセスプリアンブルシーケンスを含む。
【０１６８】
好ましくは、前記無線通信システムは新しい無線ＮＲ通信システムであり、前記電子装置はネットワーク側装置である。
【０１６９】
本開示の実施例による電子装置１０００によって実行される無線通信方法は、第２の実施例を説明する際に既に詳細に説明したので、ここで再度説明しない。
【０１７０】
＜７.第６の実施例＞
次に、本開示による無線通信システムにおける電子装置１２００によって実行される無線通信方法について詳細に説明する。ここでの電子装置は、無線通信システムにおけるネットワーク側装置であってもよく、第３の実施例における電子装置１２００の全ての実施形態はここに適用可能である。
【０１７１】
図１７は、本開示の実施例による電子装置１２００によって実行される無線通信方法を示すフローチャートである。
【０１７２】
図１７に示すように、ステップＳ１７１０では、無認可スペクトルの１つ又は複数のビーム方向においてチャネル検出手順を実行する。
【０１７３】
次に、ステップＳ１７２０では、チャネルがアイドルとして検出される１つ又は複数のビーム方向において、電子装置１２００によって受信されるランダムアクセスプリアンブルシーケンスが含まれるランダムアクセス応答メッセージを送信する。
【０１７４】
好ましくは、方法はさらに、電子装置１２００のカバレッジ内の端末装置からアップリンク伝送メッセージを受信することを含む。
【０１７５】
好ましくは、アップリンク伝送メッセージは、無線リソース制御ＲＲＣ接続要求メッセージを含み、ＲＲＣ接続要求メッセージは端末装置の識別情報を含む。
【０１７６】
好ましくは、ＲＲＣ接続要求メッセージはさらに、アップリンクデータを含む。
【０１７７】
好ましくは、方法はさらに、アップリンク伝送メッセージの伝送応答メッセージを電子装置１２００へのアクセスが許可される端末装置に送信することを含む。
【０１７８】
好ましくは、伝送応答メッセージは、無線リソース制御ＲＲＣ接続応答メッセージを含み、ＲＲＣ接続応答メッセージは、電子装置１２００へのアクセスが許可される端末装置の識別情報を含む。
【０１７９】
好ましくは、方法はさらに、電子装置１２００のカバレッジ内の端末装置がアップリンク伝送メッセージを送信し、かつ、電子装置１２００が、アップリンク伝送メッセージの伝送応答メッセージを電子装置１２００へのアクセスが許可される端末装置に送信するために使用されるように、ランダムアクセス応答メッセージを送信するときに使用される無認可スペクトルを予備することを含む。
【０１８０】
好ましくは、無線通信システムは新しい無線ＮＲ通信システムであり、電子装置１２００はネットワーク側装置である。
【０１８１】
＜８.適用例＞
本開示の技術は様々な製品に適用することができる。例えば、ネットワーク側装置は、基地局として実現することができ、基地局は、例えばマクロｅＮＢや小ｅＮＢなどの任意のタイプの進化ノードＢ（ｅＮＢ）として実現することができる。基地局は、任意のタイプのｇＮＢとして実現することもできる。また、小ｅＮＢは、例えばピコｅＮＢ、マイクロｅＮＢと家庭(フェムト)ｅＮＢなどのマクロセルより小さいセルをカバーできるｅＮＢであってもよい。その代わりに、基地局は、例えばＮｏｄｅＢと基地局トランシーバ(ＢＴＳ)のような任意の他のタイプの基地局として実現してもよい。基地局は、無線通信を制御するように配置される主体(基地局装置とも呼ばれる)と、主体と異なるところに設けられる１つ又は複数のリモート無線ヘッド(ＲＲＨ)とを含んでもよい。また、後述する様々なタイプの端末は、基地局機能を一時的又は半永久的に実行することによって、基地局として動作できる。
【０１８２】
端末装置は、携帯端末(例えばスマートフォン、タブレットパーソナルコンピューター(ＰＣ)、ノートＰＣ、携帯ゲーム端末、ポータブル／ドングルモバイルルーターとデジタル撮影装置など)又は車載端末(カーナビゲーション装置など)として実現できる。特に、遠隔装置としての端末装置は、ウェアラブル装置として実現でき、中継装置としての端末装置は、ウェアラブル装置に近い携帯端末として実現できる。端末装置はマシンツーマシン(Ｍ２Ｍ)通信を実行する端末(マシンタイプ通信(ＭＴＣ)端末とも呼ばれる)と実現することもできる。なお、端末装置は、上記端末のそれぞれに搭載された無線通信モジュール(例えば単一チップを含む集積回路モジュール)であってもよい。
【０１８３】
[８-１.基地局についての適用例]
(第１の適用例)
図１８は、本開示の技術を適用できるｅＮＢの概略構成の第１の例を示すブロック図である。ｅＮＢ１４００は１つ又は複数のアンテナ１４１０及び基地局装置１４２０を含む。基地局装置１４２０と各アンテナ１４１０はＲＦケーブルを介して互いに接続されてもよい。
【０１８４】
アンテナ１４１０のそれぞれは単一又は複数のアンテナ素子(例えば多入力多出力(ＭＩＭＯ)アンテナに含まれる複数のアンテナ素子)を含み、基地局装置１４２０の無線信号の送受信に使用される。図１８に示すように、ｅＮＢ１４００は複数のアンテナ１４１０を含んでもよい。例えば、複数アンテナ１４１０はｅＮＢ１４００に使用される複数の周波数帯域と互換性があり得る。図１８に、ｅＮＢ１４００が複数のアンテナ１４１０を含む例を示したが、ｅＮＢ１４００が単一のアンテナ１４１０を含んでもよい。
【０１８５】
基地局装置１４２０は、コントローラ１４２１、メモリ１４２２、ネットワークインターフェース１４２３及び無線通信インターフェース１４２５を含むことができる。
【０１８６】
コントローラ１４２１は例えばＣＰＵ又はＤＳＰであり、かつ、基地局装置１４２０の上位層の各種機能を動作させる。例えば、コントローラ１４２１は無線通信インターフェース１４２５で処理された信号におけるデータに基づいてデータパケットを生成し、ネットワークインターフェース１４２３を介して、生成されたパケットを伝送する。コントローラ１４２１は複数のベースバンドプロセッサからのデータをバンドルして、バンドルパケットを生成し、生成されたバンドルパケットを伝送することができる。コントローラ１４２１は、以下のような制御を実行する論理機能を有してもよく、これらの制御は例えば、無線リソース制御、無線ベアラ制御、モビリティ管理、受付制御、スケジューリングなどである。これらの制御は近くのｅＮＢ又はコアネットワークノードと連携して実行することができる。メモリ１４２２はＲＡＭとＲＯＭを含み、コントローラ１４２１によって実行されるプログラムや各種制御データ(例えば、端末リスト、送信電力データ及びスケジューリングデータ)を記憶する。
【０１８７】
ネットワークインターフェース１４２３は、基地局装置１４２０をコアネットワーク１４２４の通信インターフェースに接続するためのものである。コントローラ１４２１は、ネットワークインターフェース１４２３を介してコアネットワークノード又は別のｅＮＢと通信することができる。この場合、ｅＮＢ１４００とコアネットワークノード又は他のｅＮＢとは、論理インターフェース(例えばＳ１インターフェースとＸ２インターフェース)によって互いに接続される。ネットワークインターフェース１４２３は、有線通信インターフェース又は無線バックホール回線用の無線通信インターフェースであってもよい。ネットワークインターフェース１４２３が無線通信インターフェースであれば、無線通信インターフェース１４２５によって使用される周波数帯域と比べると、ネットワークインターフェース１４２３はより高い周波数帯域を無線通信に使用することができる。
【０１８８】
無線通信インターフェース１４２５は、任意のセルラー通信方式(例えば、長期的な進化(ＬＴＥ)和ＬＴＥー先進)をサポートし、アンテナ１４１０を介して、ｅＮＢ１４００のセルに位置する端末への無線接続を提供する。無線通信インターフェース１４２５は通常、例えばベースバンド(ＢＢ)プロセッサ１４２６とＲＦ回路１４２７を含むことができる。ＢＢプロセッサ１４２６は例えば、シンボル化／復号化、変調／復調、多重化／多重化解除を実行するとともに、レイヤー(例えばＬ１、メディアアクセス制御(ＭＡＣ)、無線リンク制御(ＲＬＣ)、パケットデータアグリゲーションプロトコル(ＰＤＣＰ))の各タイプの信号処理を実行することができる。コントローラ１４２１の代わりに、ＢＢプロセッサ１４２６は、上記した論理機能の一部又は全部を有してもよい。ＢＢプロセッサ１４２６は、通信制御プログラムが記憶されるメモリであってもよく、或いは、プログラムを実行するように配置されるプロセッサと関連する回路を含むモジュールであってもよい。プログラムの更新は、ＢＢプロセッサ１４２６の機能を変更させることができる。このモジュールは、基地局装置１４２０のスロットに挿入されるカード又はブレッドであってもよい。代わりに、このモジュールは、カード又はブレッドに搭載されるチップであってもよい。同時に、ＲＦ回路１４２７は、例えばミキサ、フィルタ、増幅器を含み、アンテナ１４１０を介して無線信号を送受信してもよい。
【０１８９】
図１８に示すように、無線通信インターフェース１４２５は複数のＢＢプロセッサ１４２６を含んでもよい。例えば、複数のＢＢプロセッサ１４２６はｅＮＢ１４００に使用される複数の周波数帯域と互換性があり得る。図１８に示すように、無線通信インターフェース１４２５は、複数のＲＦ回路１４２７を含んでもよい。例えば、複数のＲＦ回路１４２７は、複数のアンテナ素子と互換性があり得る。図１８には、無線通信インターフェース１４２５が複数のＢＢプロセッサ１４２６と複数のＲＦ回路１４２７を含む例を示したが、無線通信インターフェース１４２５は単一のＢＢプロセッサ１４２６又は単一のＲＦ回路１４２７を含んでもよい。
【０１９０】
(第２の適用例)
図１９は、本開示の技術を適用できるｅＮＢの概略構成の第２の例を示すブロック図である。ｅＮＢ１５３０は１つ又は複数のアンテナ１５４０と、基地局装置１５５０と、ＲＲＨ１５６０とを含む。ＲＲＨ１５６０と各アンテナ１５４０はＲＦケーブルを介して互いに接続することができる。基地局装置１５５０とＲＲＨ１５６０は光ファイバケーブルのような高速回線を介して互いに接続することができる。
【０１９１】
アンテナ１５４０のそれぞれは単一又は複数のアンテナ素子(例えば、ＭＩＭＯアンテナに含まれる複数のアンテナ素子)を含み、ＲＲＨ１５６０の無線信号の送受信に使用される。図１９に示すように、ｅＮＢ１５３０は複数のアンテナ１５４０を含んでもよい。例えば、複数のアンテナ１５４０はｅＮＢ１５３０によって使用される複数の周波数帯域と互換性があり得る。図１９には、ｅＮＢ１５３０に複数のアンテナ１５４０が含まれる例を示したが、ｅＮＢ１５３０は単一のアンテナ１５４０を含んでもよい。
【０１９２】
基地局装置１５５０は、コントローラ１５５１と、メモリ１５５２と、ネットワークインターフェース１５５３と、無線通信インターフェース１５５５と、接続インターフェース１５５７とを含む。コントローラ１５５１、メモリ１５５２、ネットワークインターフェース１５５３は、図１８を参照して説明したコントローラ１４２１、メモリ１４２２、ネットワークインターフェース１４２３と同様である。
【０１９３】
無線通信インターフェース１５５５は、任意のセルラー通信方式(例えばＬＴＥとＬＴＥー先進)をサポートし、ＲＲＨ１５６０とアンテナ１５４０を介して、ＲＲＨ１５６０に対応するセクタに位置する端末への無線通信を提供する。無線通信インターフェース１５５５は通常、例えばＢＢプロセッサ１５５６を含んでもよい。ＢＢプロセッサ１５５６が接続インターフェース１５５７を介してＲＲＨ１５６０のＲＦ回路１５６４に接続する以外、ＢＢプロセッサ１５５６は図１８を参照して説明したＢＢプロセッサ１４２６と同様である。図１９に示すように、無線通信インターフェース１５５５は複数のＢＢプロセッサ１５５６を含んでもよい。例えば、複数のＢＢプロセッサ１５５６はｅＮＢ１５３０に使用される複数の周波数帯域と互換性があり得る。図１９には、無線通信インターフェース１５５５に複数のＢＢプロセッサ１５５６が含まれる例を示したが、無線通信インターフェース１５５５は単一のＢＢプロセッサ１５５６を含んでもよい。
【０１９４】
接続インターフェース１５５７は、基地局装置１５５０(無線通信インターフェース１５５５)をＲＲＨ１５６０に接続するためのインターフェースである。接続インターフェース１５５７は、基地局装置１５５０(無線通信インターフェース１５５５)をＲＲＨ１５６０に接続するための上記した高速回線における通信用の通信モジュールであってもよい。
【０１９５】
ＲＲＨ１５６０は、接続インターフェース１５６１と無線通信インターフェース１５６３を含む。
【０１９６】
接続インターフェース１５６１は、ＲＲＨ１５６０(無線通信インターフェース１５６３)を基地局装置１５５０に接続するためのインターフェースである。接続インターフェース１５６１は上記した高速回線における通信用の通信モジュールであってもよい。
【０１９７】
無線通信インターフェース１５６３は、アンテナ１５４０を介して無線信号を送受信する。無線通信インターフェース１５６３は通常、例えばＲＦ回路１５６４を含んでもよい。ＲＦ回路１５６４は例えばミキサ、フィルタ、増幅器を含み、アンテナ８４０を介して無線信号を送受信してもよい。図１９に示すように、無線通信インターフェース１５６３は複数のＲＦ回路１５６４を含んでもよい。例えば、複数のＲＦ回路１５６４は複数のアンテナ素子をサポートすることができる。図１９には、無線通信インターフェース１５６３に複数のＲＦ回路１５６４が含まれる例を示したが、無線通信インターフェース１５６３は単一のＲＦ回路１５６４を含んでもよい。
【０１９８】
図１８及び図１９に示すようなｅＮＢ１４００とｅＮＢ１５３０において、図１０により説明された処理回路１０１０及び図１２により説明された処理回路１２１０はコントローラー１４２１及び／又はコントローラー１５５１によって実現することができる。機能の少なくとも一部はコントローラー１４２１とコントローラー１５５１によって実現することもできる。例えば、コントローラー１４２１及び／又はコントローラー１５５１は対応するメモリに記憶された指令を実行することによって、端末装置に対して好ましい送信ビーム方向を確定する機能及びチャネル検出を実行する機能を実行する。
【０１９９】
[８-２.端末装置についての適用例]
(第１の適用例)
図２０は、本開示の技術を適用できるスマートフォン１６００の概略構成の一例を示すブロック図である。スマートフォン１６００はプロセッサ１６０１、メモリ１６０２、記憶装置１６０３、外部接続インターフェース１６０４、撮影装置１６０６、センサー１６０７、マイク１６０８、入力装置１６０９、表示装置１６１０、スピーカ１６１１、無線通信インターフェース１６１２、１つ又は複数のアンテナスイッチ１６１５、１つ又は複数のアンテナ１６１６、バス１６１７、バッテリ１６１８及び補助コントローラ１６１９を含む。
【０２００】
プロセッサ１６０１は例えばＣＰＵ又はシステムオンチップ(ＳｏＣ)であり、スマートフォン１６００のアプリケーション層と他の層の機能を制御することができる。メモリ１６０２はＲＡＭとＲＯＭを含み、データとプロセッサ１６０１によって実行されるプログラムを記憶する。記憶装置１６０３は例えば半導体メモリとハードディスクのような記憶媒体を含むことができる。外部接続インターフェース１６０４は外部装置(例えばメモリカードとユニバーサルシリアルバス(ＵＳＢ)装置)をスマートフォン１６００に接続するためのインターフェースである。
【０２０１】
撮影装置１６０６は、イメージセンサー(例えば電荷結合デバイス(ＣＣＤ)と相補型金属酸化物半導体(ＣＭＯＳ))を含み、キャプチャ画像を生成する。センサー１６０７は例えば測定センサー、ジャイロセンサー、地磁気センサー及び加速度センサーのような１組みのセンサーを含んでもよい。マイク１６０８はスマートフォン１６００に入力された音をオーディオ信号に変換する。入力装置１６０９は、例えば表示装置１６１０のスクリーン上のタッチを検出するように配置されるタッチセンサー、キーパッド、キーボード、ボタン又はスイッチを含み、ユーザーから入力された動作又は情報を受信する。表示装置１６１０はスクリーン(例えば液晶ディスプレイ(ＬＣＤ)と有機発光ダイオード(ＯＬＥＤ)ディスプレイ)を含み、スマートフォン１６００の出力画像を表示する。スピーカ１６１１はスマートフォン１６００から出力したオーディオ信号を音に変換する。
【０２０２】
無線通信インターフェース１６１２は任意のセルラー通信方式(例えば、ＬＴＥ和ＬＴＥ-先進)をサポートし、無線通信を実行する。無線通信インターフェース１６１２は通常、例えばＢＢプロセッサ１６１３とＲＦ回路１６１４を含むことができる。ＢＢプロセッサ１６１３は例えば、シンボル化／復号化、変調／復調、多重化／多重化解除を実行するとともに、無線通信のための各種のタイプの信号処理を実行することができる。同時に、ＲＦ回路１６１４は例えばミキサ、フィルタ、増幅器を含み、アンテナ１６１６を介して無線信号を送受信することができる。無線通信インターフェース１６１２はその上にＢＢプロセッサ１６１３とＲＦ回路１６１４が集積化される１つのチップモジュールであってもよい。図２０に示すように、無線通信インターフェース１６１２は複数のＢＢプロセッサ１６１３と複数のＲＦ回路１６１４を含んでもよい。図２０には、無線通信インターフェース１６１２に複数のＢＢプロセッサ１６１３と複数のＲＦ回路１６１４が含まれる例を示したが、無線通信インターフェース１６１２は単一のＢＢプロセッサ１６１３又は単一のＲＦ回路１６１４を含んでもよい。
【０２０３】
なお、セルラー通信方式の以外、無線通信インターフェース１６１２は、例えば短距離無線通信方式、近接通信方式や無線ローカルネットワーク(ＬＡＮ)方式などの別のタイプの無線通信方式をサポートすることができる。この場合、無線通信インターフェース１６１２は各種の無線通信方式に対するＢＢプロセッサ１６１３とＲＦ回路１６１４を含んでもよい。
【０２０４】
アンテナスイッチ１６１５のそれぞれは、無線通信インターフェース１６１２に含まれる複数の回路(例えば異なる無線通信方式に使用される回路)間でアンテナ１６１６の接続先を切り替える。
【０２０５】
アンテナ１６１６のそれぞれは単一又は複数のアンテナ素子(例えばＭＩＭＯアンテナに含まれた複数のアンテナ素子)を含み、無線通信インターフェース１６１２の無線信号の送受信に使用される。図２０に示すように、スマートフォン１６００は複数のアンテナ１６１６を含んでもよい。図２０には、スマートフォン１６００に複数のアンテナ１６１６が含まれる例を示したが、スマートフォン１６００は単一のアンテナ１６１６を含んでもよい。
【０２０６】
なお、スマートフォン１６００は各種の無線通信方式に対するアンテナ１６１６を含んでもよい。この場合に、アンテナスイッチ１６１５はスマートフォン１６００の配置から省略されてもよい。
【０２０７】
バス１６１７は、プロセッサ１６０１、メモリ１６０２、記憶装置１６０３、外部接続インターフェース１６０４、撮像装置１６０６、センサー１６０７、マイク１６０８、入力装置１６０９、表示装置１６１０、スピーカ１６１１、無線通信インターフェース１６１２及び補助コントローラ１６１９を互いに接続する。バッテリ１６１８は給電線によって図２０に示すスマートフォン１６００の各ブロックに電力を供給し、給電線は図面において部分的に点線によって表される。補助コントローラ１６１９は例えば睡眠モードでスマートフォン１６００の最少の必要な機能を動作させる。
【０２０８】
図２０に示すスマートフォン１６００では、図２により説明された処理回路２１０はプロセッサー１６００又は補助コントローラー１６１９によって実現することができる。機能の少なくとも一部はプロセッサー１６００又は補助コントローラー１６１９によって実現することもできる。例えば、プロセッサー１６００又は補助コントローラー１６１９はメモリ１６０２又は記憶装置１６０３に記憶された指令を実行することによって、チャネル検出の機能を実行する。
【０２０９】
(第２の適用例)
図２１は、本開示の技術を適用できるカーナビゲーション装置１７２０の概略構成の一例を示すブロック図である。カーナビゲーション装置１７２０はプロセッサ１７２１、メモリ１７２２、全球位置決めシステム(ＧＰＳ)モジュール１７２４、センサー１７２５、データインターフェース１７２６、コンテンツプレーヤー１７２７、記憶媒体インターフェース１７２８、入力装置１７２９、表示装置１７３０、スピーカ１７３１、無線通信インターフェース１７３３、１つ又は複数のアンテナスイッチ１７３６、１つ又は複数のアンテナ１７３７及びバッテリ１７３８を含む。
【０２１０】
プロセッサ１７２１は例えばＣＰＵ又はＳｏＣであり、カーナビゲーション装置１７２０のナビゲーション機能と他の機能を制御することができる。メモリ１７２２はＲＡＭとＲＯＭを含み、データ及びプロセッサ１７２１によって実行されるプログラムを記憶する。
【０２１１】
ＧＰＳモジュール１７２４は、ＧＰＳ衛星から受信したＧＰＳ信号を使用してカーナビゲーション装置１７２０の位置(例えば、緯度、経度、高度)を測定する。センサー１７２５は例えばジャイロセンサー、地磁気センサー及び気圧センサーなどの１組みのセンサーを含んでもよい。データインターフェース１７２６は、図示しない端末を介して例えば車のネットワーク９４１に接続し、車両が生成したデータ(例えば、車速データ)を取得する。
【０２１２】
コンテンツプレーヤー１７２７は、記憶媒介(例えば、ＣＤとＤＶＤ)に記憶されるコンテンツを再生して、この記憶媒介は記憶媒介インターフェース１７２８に挿入される。入力装置１７２９は、例えば表示装置１７３０のスクリーン上のタッチを検出するように配置されるタッチセンサー、ボタン又はスイッチを含み、ユーザーから入力された動作又は情報を受信する。表示装置１７３０は例えばＬＣＤやＯＬＥＤディスプレイのスクリーンを含み、ナビゲーション機能の画像又は再生されたコンテンツを表示する。スピーカ１７３１はナビゲーション機能の音又は再生されたコンテンツを出力する。
【０２１３】
無線通信インターフェース１７３３は、任意のセルラー通信方式(例えば、ＬＴＥ及びＬＴＥ−先進)をサポートし、無線通信を実行することができる。無線通信インターフェース１７３３は通常、例えばＢＢプロセッサ１７３４とＲＦ回路１７３５を含むことができる。ＢＢプロセッサ１７３４は、例えばシンボル化／復号化、変調／復調、及び多重化／多重化解除を実行するとともに、無線通信に使用される様々なタイプの信号処理を実行することができる。同時に、ＲＦ回路１７３５は例えばミキサ、フィルタ、増幅器を含み、アンテナ１７３７を介して無線信号を送受信することができる。無線通信インターフェース１７３３はその上にＢＢプロセッサ１７３４とＲＦ回路１７３５が集積化される１つのチップモジュールであってもよい。図２１に示すように、無線通信インターフェース１７３３は複数のＢＢプロセッサ１７３４と複数のＲＦ回路１７３５を含んでもよい。図２１には、無線通信インターフェース１７３３に複数のＢＢプロセッサ１７３４と複数のＲＦ回路１７３５が含まれる例を示したが、無線通信インターフェース１７３３は単一のＢＢプロセッサ１７３４又は単一のＲＦ回路１７３５を含んでもよい。
【０２１４】
なお、セルラー通信方式の以外、無線通信インターフェース１７３３は、例えば短距離無線通信方式、近接通信方式と無線ＬＡＮ方式などの別のタイプの無線通信方式をサポートすることができる。この場合、各種の無線通信方式に対して、無線通信インターフェース１７３３はＢＢプロセッサ１７３４とＲＦ回路１７３５を含んでもよい。
【０２１５】
アンテナスイッチ１７３６のそれぞれは無線通信インターフェース１７３３に含まれる複数の回路(例えば、異なる無線通信方式に使用される回路)間でアンテナ１７３７の接続先を切り替える。
【０２１６】
アンテナ１７３７のそれぞれは単一又は複数のアンテナ素子(例えばＭＩＭＯアンテナに含まれる複数のアンテナ素子)を含み、無線通信インターフェース１７３３の無線信号の送受信に使用される。図２１に示すように、カーナビゲーション装置１７２０は複数のアンテナ１７３７を含んでもよい。図２１には、カーナビゲーション装置１７２０に複数のアンテナ１７３７が含まれる例を示したが、カーナビゲーション装置１７２０は単一のアンテナ１７３７を含んでもよい。
【０２１７】
なお、カーナビゲーション装置１７２０は各種の無線通信方式に対するアンテナ１７３７を含んでもよい。この場合、アンテナスイッチ１７３６はカーナビゲーション装置１７２０の配置から省略されてもよい。
【０２１８】
バッテリ１７３８は、給電線によって図２１に示すカーナビゲーション装置１７２０の各ブロックに電力を供給し、給電線は図面において部分的に点線によって表される。バッテリ１７３８は車両から供給した電力を蓄積する。
【０２１９】
図２１に示すカーナビゲーション装置１７２０では、図２により説明された処理回路２１０は、プロセッサ１７２１によって実現することができる。機能の少なくとも一部はプロセッサ１７２１によって実現することもできる。例えば、プロセッサ１７２１は、メモリ１７２２に記憶される指令を実行することによってチャネル検出の機能を実行することができる。
【０２２０】
本開示の技術は、カーナビゲーション装置１７２０、車載ネットワーク１７４１及び車両モジュール１７４２のうち１つ又は複数のブロックが含まれる車載システム(又は車両)１７４０として実現されてもよい。車両モジュール１７４２は車両データ(例えば車速、エンジン速度、故障情報)を生成して、生成されたデータを車のネットワーク１７４１に出力する。
【０２２１】
本開示のシステム及び方法では、各構成要素又は各ステップが分解及び／又は再結合できることは明らかである。これらの分解及び／又は再結合は本開示の均等の方案とみなすべきである。さらに、上記した一連の処理を実行するステップは当然、説明の順序に沿って時系列に実行することができるが、必ずしも時系列に実行される必要はない。いくつかのステップは並行的又は互いに独立に実行されてもよい。
【０２２２】
また、本開示は、以下のような配置を有することができる。
(１)無線通信システムにおける電子装置であって、
無認可スペクトルの１つ又は複数のビーム方向においてチャネル検出手順を実行するように配置される処理回路と、
チャネルがアイドルとして検出される１つ又は複数のビーム方向においてランダムアクセスプリアンブルシーケンスを送信するように配置される送受信回路と、を含む。
(２)上記(１)に記載の電子装置であって、前記送受信回路はさらに、ビーム方向情報を受信するように配置され、前記処理回路はさらに、前記ビーム方向情報に含まれる１つ又は複数のビーム方向においてチャネル検出手順を順次に実行するように配置される。
(３)上記(１)に記載の電子装置であって、前記無認可スペクトルの各ビーム方向は、複数のサブビーム方向を含み、前記送受信回路は、チャネルがアイドルとして検出される各ビーム方向に含まれる複数のサブビーム方向においてランダムアクセスプリアンブルシーケンスを送信するように配置される。
(４)上記(１)に記載の電子装置であって、前記送受信回路はさらに、異なるビーム方向に対して、異なるランダムアクセスプリアンブルシーケンスを送信するように配置される。
(５)上記(１)に記載の電子装置であって、前記送受信回路はさらに、チャネルがアイドルとして検出される各ビーム方向において、前記ビーム方向に対するランダムアクセスプリアンブルシーケンスを１回又は複数回送信するように配置される。
(６)上記(５)に記載の電子装置であって、前記処理回路はさらに、最も長いチャネル占有時間ＭＣＯＴに従って、チャネルがアイドルとして検出される各ビーム方向において前記ビーム方向に対するランダムアクセスプリアンブルシーケンスを送信する回数を確定するように配置される。
(７)上記(１)に記載の電子装置であって、前記処理回路はさらに、現在のビーム方向においてチャネル検出手順の実行を開始するときにタイマーを起動し、前記タイマーが切れる前に現在のビーム方向がアイドルとして検出されていない場合、次のビーム方向においてチャネル検出手順の実行を開始するように配置される。
(８)上記(１)に記載の電子装置であって、前記処理回路はさらに、前記送受信回路がランダムアクセス応答メッセージを受信するために、ランダムアクセス応答ウィンドウを起動するように配置される。
(９)上記(８)に記載の電子装置であって、前記処理回路は、前記送受信回路がチャネルがアイドルとして検出される全てのビーム方向においてランダムアクセスプリアンブルシーケンスを送信した後、前記ランダムアクセス応答ウィンドウを起動するように配置される。
(１０)上記(８)に記載の電子装置であって、前記処理回路は、前記送受信回路が、チャネルがアイドルとして検出される１番目のビーム方向において第１回のランダムアクセスプリアンブルシーケンスを送信した後、前記ランダムアクセス応答ウィンドウを起動するように配置される。
(１１)上記(８)に記載の電子装置であって、前記処理回路は、前記送受信回路が、チャネルがアイドルとして検出される各ビーム方向において第１回のランダムアクセスプリアンブルシーケンスを送信した後、前記ビーム方向に対するランダムアクセス応答ウィンドウを起動するように配置される。
(１２)上記(８)に記載の電子装置であって、前記処理回路はさらに、受信したランダムアクセス応答メッセージに従って、アップリンクデータを送信するための無認可スペクトルのビーム方向を確定するように配置される。
(１３)上記(８)に記載の電子装置であって、前記処理回路はさらに、ランダムアクセス応答メッセージが受信されていない場合に、チャネルが忙しいとして検出される１つ又は複数のビーム方向においてチャネル検出手順を再実行するように配置される。
(１４)上記(１３)に記載の電子装置であって、前記処理回路はさらに、各ビーム方向がアイドルとして検出されるまで、チャネルが忙しいとして検出される各ビーム方向に対して設置されるタイマーの時間を延長し、各ビーム方向においてランダムアクセスプリアンブルシーケンスを送信するように配置される。
(１５)上記(１４)に記載の電子装置であって、前記処理回路は、各ビーム方向においてランダムアクセスプリアンブルシーケンスを送信する送信電力を増加させるように配置される。
(１６)上記(８)に記載の電子装置であって、前記処理回路はさらに、受信したランダムアクセス応答メッセージに従って、アップリンク伝送メッセージを送信するための無認可スペクトルのビーム方向を確定するように配置され、前記送受信回路はさらに、前記アップリンク伝送メッセージを送信するように配置される。
(１７)上記(１６)に記載の電子装置であって、前記アップリンク伝送メッセージは、無線リソース制御ＲＲＣ接続要求メッセージを含み、前記ＲＲＣ接続要求メッセージは、前記電子装置の識別情報を含む。
(１８)上記(１７)に記載の電子装置であって、前記ＲＲＣ接続要求メッセージはさらに、アップリンクデータを含む。
(１９)上記(１６)に記載の電子装置であって、前記送受信回路はさらに、前記アップリンク伝送メッセージの伝送応答メッセージを受信するように配置される。
(２０)上記(１９)に記載の電子装置であって、前記伝送応答メッセージは、無線リソース制御ＲＲＣ接続応答メッセージを含み、前記ＲＲＣ接続応答メッセージは前記電子装置の識別情報を含む。
(２１)上記(１)から(２０)のいずれか１項に記載の電子装置であって、前記無線通信システムは新しい無線ＮＲ通信システムであり、前記電子装置は端末装置である。
(２２)無線通信システムにおける電子装置であって、
前記電子装置のカバレッジ内の端末装置の１つ又は複数の好ましい送信ビーム方向を確定するように配置される処理回路と、
前記１つ又は複数の好ましい送信ビーム方向が含まれるビーム方向情報を前記端末装置に送信するように配置される送受信回路と、を含む。
(２３)上記(２２)に記載の電子装置であって、前記送受信回路はさらに、ランダムアクセス応答メッセージを前記端末装置に送信するように配置され、前記ランダムアクセス応答メッセージは、前記送受信回路によって受信されたランダムアクセスプリアンブルシーケンスを含む。
(２４)上記(２２)又は(２３)に記載の電子装置であって、前記無線通信システムは新しい無線ＮＲ通信システムであり、前記電子装置はネットワーク側装置である。
(２５)無線通信システムにおける電子装置であって、
無認可スペクトルの１つ又は複数のビーム方向においてチャネル検出手順を実行するように配置される処理回路と、
チャネルがアイドルとして検出される１つ又は複数のビーム方向において、ランダムアクセス応答メッセージを送信するように配置される送受信回路と、
を含み、
前記ランダムアクセス応答メッセージには、前記送受信回路によって受信されたランダムアクセスプリアンブルシーケンスが含まれる。
(２６)上記(２５)に記載の電子装置であって、前記送受信回路はさらに、前記電子装置のカバレッジ内の端末装置からアップリンク伝送メッセージを受信するように配置される。
(２７)上記(２６)に記載の電子装置であって、前記アップリンク伝送メッセージは、無線リソース制御ＲＲＣ接続要求メッセージを含み、前記ＲＲＣ接続要求メッセージは前記端末装置の識別情報を含む。
(２８)上記(２７)に記載の電子装置であって、前記ＲＲＣ接続要求メッセージはさらに、アップリンクデータを含む。
(２９)上記(２６)に記載の電子装置であって、前記送受信回路はさらに、前記アップリンク伝送メッセージの伝送応答メッセージを前記電子装置へのアクセスが許可される端末装置に送信するように配置される。
(３０)上記(２９)に記載の電子装置であって、前記伝送応答メッセージは、無線リソース制御ＲＲＣ接続応答メッセージを含み、前記ＲＲＣ接続応答メッセージは、前記電子装置へのアクセスが許可される端末装置の識別情報を含む。
(３１)上記(２９)に記載の電子装置であって、前記処理回路はさらに、前記電子装置のカバレッジ内の端末装置が前記アップリンク伝送メッセージを送信し、かつ、前記電子装置が、前記アップリンク伝送メッセージの伝送応答メッセージを前記電子装置へのアクセスが許可される端末装置に送信するために使用されるように、前記ランダムアクセス応答メッセージを送信するときに使用される無認可スペクトルを予備するように配置される。
(３２)上記(２５)から(３１)のいずれか１項に記載の電子装置であって、前記無線通信システムは新しい無線ＮＲ通信システムであり、前記電子装置はネットワーク側装置である。
(３３)無線通信システムにおける電子装置によって実行される無線通信方法であって、
無認可スペクトルの１つ又は複数のビーム方向においてチャネル検出手順を実行することと、
チャネルがアイドルとして検出される１つ又は複数のビーム方向においてランダムアクセスプリアンブルシーケンスを送信することと、を含む。
(３４)無線通信システムにおける電子装置によって実行される無線通信方法であって、
無認可スペクトルの１つ又は複数のビーム方向においてチャネル検出手順を実行することと、
チャネルがアイドルとして検出される１つ又は複数のビーム方向において、前記電子装置によって受信されたランダムアクセスプリアンブルシーケンスが含まれるランダムアクセス応答メッセージを送信することと、を含む。
【０２２３】
以上、図面を結合して本開示の実施例について詳細に説明したが、上記した実施形態は本開示を説明するためのものであり、本開示を限定するものではないと理解すべきである。当業者にとって、本開示の精神及び範囲から逸脱することがなく、上記した実施形態に対して、様々な修正及び変更が可能である。そのため、本開示の範囲は添付した特許請求の範囲及びその等価物のみによって限定される。
【図１Ａ】
2020526078.tif 000003
【図１Ｂ】
2020526078.tif 000004
【図２】
2020526078.tif 000005
【図３】
2020526078.tif 000006
【図４】
2020526078.tif 000007
【図５】
2020526078.tif 000008
【図６】
2020526078.tif 000009
【図７】
2020526078.tif 000010
【図８】
2020526078.tif 000011
【図９】
2020526078.tif 000012
【図１０】
2020526078.tif 000013
【図１１】
2020526078.tif 000014
【図１２】
2020526078.tif 000015
【図１３】
2020526078.tif 000016
【図１４】
2020526078.tif 000017
【図１５】
2020526078.tif 000018
【図１６】
2020526078.tif 000019
【図１７】
2020526078.tif 000020
【図１８】
2020526078.tif 000021
【図１９】
2020526078.tif 000022
【図２０】
2020526078.tif 000023
【図２１】
2020526078.tif 000024
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
無線通信システムにおける電子装置であって、
無認可スペクトルの１つ又は複数のビーム方向においてチャネル検出手順を実行するように配置されている処理回路と、
チャネルがアイドルとして検出される１つ又は複数のビーム方向においてランダムアクセスプリアンブルシーケンスを送信するように配置されている送受信回路と、
を含む電子装置。
【請求項２】
前記送受信回路は、さらに、ビーム方向情報を受信するように配置され、
前記処理回路は、さらに、前記ビーム方向情報に含まれる１つ又は複数のビーム方向において、チャネル検出手順を順次に実行するように配置される、
請求項１に記載の電子装置。
【請求項３】
前記無認可スペクトルの各ビーム方向は、複数のサブビーム方向を含み、
前記送受信回路は、チャネルがアイドルとして検出される各ビーム方向に含まれる複数のサブビーム方向においてランダムアクセスプリアンブルシーケンスを送信するように配置される、
請求項１に記載の電子装置。
【請求項４】
前記送受信回路は、さらに、異なるビーム方向に対して、異なるランダムアクセスプリアンブルシーケンスを送信するように配置される、
請求項１に記載の電子装置。
【請求項５】
前記送受信回路は、さらに、チャネルがアイドルとして検出される各ビーム方向において前記ビーム方向に対するランダムアクセスプリアンブルシーケンスを１回又は複数回送信するように配置され、且つ
前記処理回路は、さらに、最も長いチャネル占有時間ＭＣＯＴに従って、チャネルがアイドルとして検出される各ビーム方向において送信される前記ビーム方向に対するランダムアクセスプリアンブシーケンスの回数を確定するように配置される、
請求項１に記載の電子装置。
【請求項６】
前記処理回路は、さらに、現在のビーム方向においてチャネル検出手順の実行を開始するときにタイマーを起動し、前記タイマーが切れる前に現在のビーム方向がアイドルとして検出されない場合に、次のビーム方向においてチャネル検出手順の実行を開始するように配置される、
請求項１に記載の電子装置。
【請求項７】
前記処理回路は、さらに、前記送受信回路がランダムアクセス応答メッセージを受信するように、ランダムアクセス応答ウィンドウを起動するように配置される、
請求項１に記載の電子装置。
【請求項８】
前記処理回路は、前記送受信回路がチャネルがアイドルとして検出される全てのビーム方向においてランダムアクセスプリアンブルシーケンスを送信した後に、前記ランダムアクセス応答ウィンドウを起動するように配置されるか、又は
前記送受信回路がチャネルがアイドルとして検出される１番目のビーム方向において第１回のランダムアクセスプリアンブルシーケンスを送信した後、前記ランダムアクセス応答ウィンドウを起動するように配置されるか、又は
前記送受信回路がチャネルがアイドルとして検出される各ビーム方向において第１回のランダムアクセスプリアンブルシーケンスを送信した後、前記ビーム方向に対するランダムアクセス応答ウィンドウを起動するように配置される、
請求項７に記載の電子装置。
【請求項９】
前記処理回路は、さらに、
ランダムアクセス応答メッセージを受信していない場合に、チャネルが忙しいとして検出される１つ又は複数のビーム方向においてチャネル検出手順を再実行するように配置される
請求項７に記載の電子装置。
【請求項１０】
前記処理回路は、さらに、
各ビーム方向がアイドルとして検出されるまで、チャネルが忙しいとして検出される各ビーム方向に対して設置されるタイマーの時間を延長し、各ビーム方向においてランダムアクセスプリアンブルシーケンスを送信するように配置され、且つ
前記処理回路は、各ビーム方向においてランダムアクセスプリアンブルシーケンスを送信する送信電力を増加させるように配置される、
請求項９に記載の電子装置。
【請求項１１】
前記処理回路は、さらに、受信したランダムアクセス応答メッセージに従って、アップリンク伝送メッセージを送信するための無認可スペクトルのビーム方向を確定するように配置され、
前記送受信回路は、さらに、前記アップリンク伝送メッセージを送信するように配置される、
請求項７に記載の電子装置。
【請求項１２】
前記アップリンク伝送メッセージは、無線リソース制御ＲＲＣ接続要求メッセージを含み、前記ＲＲＣ接続要求メッセージは、前記電子装置の識別情報とアップリンクデータを含む、
請求項１１に記載の電子装置。
【請求項１３】
前記送受信回路は、さらに、
前記アップリンク伝送メッセージの伝送応答メッセージを受信するように配置される、
請求項１１に記載の電子装置。
【請求項１４】
前記伝送応答メッセージは、無線リソース制御ＲＲＣ接続応答メッセージを含み、前記ＲＲＣ接続応答メッセージは前記電子装置の識別情報を含む、
請求項１３に記載の電子装置。
【請求項１５】
無線通信システムにおける電子装置であって、
無認可スペクトルの１つ又は複数のビーム方向においてチャネル検出手順を実行するように配置される処理回路と、
チャネルがアイドルとして検出される１つ又は複数のビーム方向において、ランダムアクセス応答メッセージを送信するように配置される送受信回路と、
を含み、
前記ランダムアクセス応答メッセージには、前記送受信回路によって受信されたランダムアクセスプリアンブルシーケンスが含まれる電子装置。
【請求項１６】
前記送受信回路はさらに、
前記電子装置のカバレッジ内の端末装置からアップリンク伝送メッセージを受信するように配置される、
請求項１５に記載の電子装置。
【請求項１７】
前記アップリンク伝送メッセージは、無線リソース制御ＲＲＣ接続要求メッセージを含み、前記ＲＲＣ接続要求メッセージは、前記端末装置の識別情報とアップリンクデータを含む、
請求項１６に記載の電子装置。
【請求項１８】
前記送受信回路はさらに、
前記電子装置へのアクセスが許可される端末装置に、前記アップリンク伝送メッセージの伝送応答メッセージを送信するように配置され、且つ
前記伝送応答メッセージは、無線リソース制御ＲＲＣ接続応答メッセージを含み、前記ＲＲＣ接続応答メッセージは、前記電子装置へのアクセスが許可される端末装置の識別情報を含む、
請求項１６に記載の電子装置。
【請求項１９】
前記処理回路はさらに、
前記電子装置のカバレッジ内の端末装置が前記アップリンク伝送メッセージを送信し、前記電子装置が前記アップリンク伝送メッセージの伝送応答メッセージを前記電子装置へのアクセスが許可される端末装置に送信するために、前記ランダムアクセス応答メッセージを送信するときに使用される無認可スペクトルを予備するように配置される、
請求項１８に記載の電子装置。
【請求項２０】
無線通信システムにおける電子装置によって実行される無線通信方法であって、
無認可スペクトルの１つ又は複数のビーム方向においてチャネル検出手順を実行することと、
チャネルがアイドルとして検出される１つ又は複数のビーム方向においてランダムアクセスプリアンブルシーケンスを送信することと、
を含む無線通信方法。
【国際調査報告】
2020526078.tif 000025
2020526078.tif 000026
2020526078.tif 000027
2020526078.tif 000028